(57)【要約】  本発明は、ＬＴＥ（Ｌｏｎｇ  Ｔｅｒｍ  Ｅｖｏｌｕｔｉｏｎ）のような４Ｇ（４ｔｈ−Ｇｅｎｅｒａｔｉｏｎ）通信システムよりも高いデータレートをサポートするために提供されるｐｒｅ−５Ｇ又は５Ｇ通信システムに関する。本発明は、ＰＨＲ（ｐｏｗｅｒ  ｈｅａｄｒｏｏｍ  ｒｅｐｏｒｔ）方法及び装置を開示する。ユーザ端末（ＵＥ）は、活性サービングセル内のアップリンクサブフレーム構造によってＰＨＲ報告方式を決定し、該報告方式によってＰＨＲを計算し、該ＰＨＲを基地局に送信する。本発明によれば、ＵＥは、予めＰＨＲ報告方式を決定し、ＰＨＲを計算してＰＨＲを報告することによって、ＵＥにおけるＰＨＲ報告プロセスを具現する。【選択図】図２
2019525666.tif 000002
【特許請求の範囲】
【請求項１】
無線通信システムにおける端末装置を動作させる方法であって、
活性サービングセル内のアップリンクサブフレームの構造によってＰＨＲ（ｐｏｗｅｒ  ｈｅａｄｒｏｏｍ  ｒｅｐｏｒｔ）報告方式を決定するステップと、
前記ＰＨＲ報告方式によってＰＨＲを決定するステップと、
前記ＰＨＲを基地局に送信するステップと、を有することを特徴とする方法。
【請求項２】
１つの活性サービングセルが存在する場合、２つの異なる時間区間におけるアップリンクサブフレームが異なる長さを有するか、又は同じ時間区間内の異なる周波数帯域におけるアップリンクサブフレームが異なる長さを有するか、又は
複数の活性サービングセルが存在する場合、同じ時間区間内の２つの異なる活性サービングセルのアップリンクサブフレームが異なる長さを有し、
前記ＰＨＲ報告方式を決定するステップは、
サブフレームの長さによってＰＨＲフィードバック周期を決定するステップと、
前記周期によって前記ＰＨＲを報告する時点を決定するステップと、を含むことを特徴とする請求項１に記載の方法。
【請求項３】
前記ＰＨＲを報告する時点を決定するステップは、
前記活性サービングセル内の現在のサブフレームの長さによって全てのサブフレームに番号を付けるステップと、
前記活性サービングセルのサブフレームの長さがＴの場合、サブフレームの一連番号ｔに従って周期的ＰＨＲタイマー（ｐｅｒｉｏｄｉｃ  ＰＨＲ  ｔｉｍｅｒ）及び禁止ＰＨＲタイマー（ｐｒｏｈｉｂｉｔ  ＰＨＲ  ｔｉｍｅｒ）の状態値を計算し、前記周期的ＰＨＲタイマー及び前記禁止ＰＨＲタイマーの状態値によって前記ＰＨＲを報告する時点を決定するステップか、又は
前記活性サービングセルのサブフレーム長さＴ１がＴよりも小さい場合、下記式、即ちｆｌｏｏｒ（ｔ／（Ｔ／Ｔ１））（ここで、ｆｌｏｏｒ（）はラウンドダウン（ｒｏｕｎｄｉｎｇ  ｄｏｗｎ）演算を示す）を用いてサブフレームの一連番号ｔに従って周期的ＰＨＲタイマー及び禁止ＰＨＲタイマーの状態値を計算し、前記周期的ＰＨＲタイマー及び前記禁止ＰＨＲタイマーの状態値によって前記ＰＨＲを報告する時点を決定するステップか、又は
前記活性サービングセルのサブフレームの長さＴ１がＴよりも大きい場合、下記式、即ちｔ１＊（Ｔ１／Ｔ）を用いてサブフレームの一連番号ｔに従って周期的ＰＨＲタイマー及び禁止ＰＨＲタイマーの状態値を計算し、前記周期的ＰＨＲタイマー及び前記禁止ＰＨＲタイマーの状態値によって前記ＰＨＲを報告する時点を決定するステップと、を含み、
前記ＰＨＲにおける前記周期的ＰＨＲタイマー及び前記ＰＨＲの禁止ＰＨＲタイマーは、Ｔのサブフレームの長さを用いることを特徴とする請求項２に記載の方法。
【請求項４】
少なくとも２つの活性サービングセルが存在し、少なくとも２つの活性サービングセルが活性化された状態にある場合、前記活性化された状態にある少なくとも１つのサービングセルのアップリンクサブフレームが２つの異なる時間区間で同じサブフレームの長さを有するか又は同じ時間区間内の２つの異なる周波数帯域で同じサブフレームの長さを有する場合、
前記ＰＨＲ報告方式を決定するステップは、報告タイプ１のＰＨＲを報告することを決定するステップを含むことを特徴とする請求項１に記載の方法。
【請求項５】
少なくとも２つの活性サービングセルが存在し、少なくとも２つの活性サービングセルが活性化された状態にある場合、前記活性化された状態にある少なくとも１つのサービングセルのアップリンクサブフレームが２つの異なる時間区間で異なるサブフレームの長さを有する場合、又は
少なくとも２つの活性サービングセルが存在し、少なくとも２つの活性サービングセルが活性化された状態にある場合、前記活性化された状態にある少なくとも１つのサービングセルのアップリンクサブフレームが同じ時間区間内の２つの異なる周波数帯域で異なるサブフレームの長さを有する場合、
前記ＰＨＲ報告方式を決定するステップは、第１タイプのＰＨＲ及び予め定義された第２タイプのＰＨＲを報告することを決定するステップを含むことを特徴とする請求項１に記載の方法。
【請求項６】
前記サービングセルのサブフレームの長さは、前記端末装置によって受信される上位層シグナリング、前記端末装置によって受信されるパブリック物理層シグナリング、及び前記端末装置によって受信される端末装置−特定物理層シグナリングによって決定されることを特徴とする請求項４又は５に記載の方法。
【請求項７】
前記第１タイプのＰＨＲ及び予め定義された第２タイプのＰＨＲを報告するように決定するステップは、前記第１タイプのＰＨＲ及び前記第２タイプのＰＨＲを時分割多重化方式で報告するステップを含み、
前記第１タイプのＰＨＲ及び前記第２タイプのＰＨＲを時分割多重化方式で報告するステップは、
上位層シグナリングによって前記第１タイプのＰＨＲを報告するためのカテゴリー−１サブフレーム及び前記第２タイプのＰＨＲを報告するためのカテゴリー−２サブフレームを決定し、前記カテゴリー−１サブフレームで前記第１タイプのＰＨＲを送信し、前記カテゴリー−２サブフレームで前記第２タイプのＰＨＲを送信するステップか、又は
前記活性サービングセル内のサブフレームスケジューリング情報によって前記第１タイプのＰＨＲを報告するためのカテゴリー−１サブフレーム及び前記第２タイプのＰＨＲを報告するためのカテゴリー−２サブフレームを決定し、前記カテゴリー−１サブフレームで前記第１タイプのＰＨＲを送信し、前記カテゴリー−２サブフレームで前記第２タイプのＰＨＲを送信するステップを含むことを特徴とする請求項５に記載の方法。
【請求項８】
無線通信システムにおける端末装置であって、
送受信機と、
前記送受信機に動作可能に接続される少なくとも１つのプロセッサと、を備え、
前記少なくとも１つのプロセッサは、
活性サービングセル内のアップリンクサブフレームの構造によってＰＨＲ（ｐｏｗｅｒ  ｈｅａｄｒｏｏｍ  ｒｅｐｏｒｔ）報告方式を決定し、
前記ＰＨＲ報告方式によって前記ＰＨＲを決定し、
計算された前記ＰＨＲを基地局に送信するように制御することを特徴とする装置。
【請求項９】
１つの活性サービングセルが存在する場合、２つの異なる時間区間におけるアップリンクサブフレームが異なる長さを有するか、又は同じ時間区間内の異なる周波数帯域におけるアップリンクサブフレームが異なる長さを有するか、又は
複数の活性サービングセルが存在する場合、同じ時間区間内の２つの異なる活性サービングセルのアップリンクサブフレームが異なる長さを有し、
前記少なくとも１つのプロセッサは、サブフレームの長さによってＰＨＲフィードバック周期を決定し、前記周期によって前記ＰＨＲを報告する時点を決定するように制御することを特徴とする請求項８に記載の装置。
【請求項１０】
前記少なくとも１つのプロセッサは、
前記活性サービングセル内の現在のサブフレームの長さによって全てのサブフレームに番号を付け、
前記活性サービングセルのサブフレームの長さがＴの場合、サブフレームの一連番号ｔに従って周期的ＰＨＲタイマー及び禁止ＰＨＲタイマーの状態値を計算し、前記周期的ＰＨＲタイマー及び前記禁止ＰＨＲタイマーの状態値によって前記ＰＨＲを報告する時点を決定するか、又は
前記活性サービングセルのサブフレームの長さＴ１がＴよりも小さい場合、下記式、即ちｆｌｏｏｒ（ｔ／（Ｔ／Ｔ１））（ここで、ｆｌｏｏｒ（）はラウンドダウン演算を示す）を用いてサブフレームの一連番号ｔに従って周期的ＰＨＲタイマー及び禁止ＰＨＲタイマーの状態値を計算し、前記周期的ＰＨＲタイマー及び前記禁止ＰＨＲタイマーの状態値によって前記ＰＨＲを報告する時点を決定するか、又は
前記活性サービングセルのサブフレームの長さＴ１がＴよりも大きい場合、下記式、即ちｔ１＊（Ｔ１／Ｔ）を用いてサブフレームの一連番号ｔに従って周期的ＰＨＲタイマー及び禁止ＰＨＲタイマーの状態値を計算し、前記周期的ＰＨＲタイマー及び前記禁止ＰＨＲタイマーの状態値によって前記ＰＨＲを報告する時点を決定するように制御し、
前記ＰＨＲにおける前記周期的ＰＨＲタイマー及び前記ＰＨＲの禁止ＰＨＲタイマーは、Ｔのサブフレームの長さを用いることを特徴とする請求項９に記載の装置。
【請求項１１】
少なくとも２つの活性サービングセルが存在し、少なくとも２つの活性サービングセルが活性化された状態にある場合、前記活性化された状態にある少なくとも１つのサービングセルのアップリンクサブフレームが２つの異なる時間区間で同じサブフレームの長さを有するか又は同じ時間区間内の２つの異なる周波数帯域で同じサブフレームの長さを有する場合、
前記少なくとも１つのプロセッサは、報告タイプ１のＰＨＲを報告することを決定するように制御することを特徴とする請求項８に記載の装置。
【請求項１２】
少なくとも２つの活性サービングセルが存在し、少なくとも２つの活性サービングセルが活性化された状態にある場合、前記活性化された状態にある少なくとも１つのサービングセルのアップリンクサブフレームが２つの異なる時間区間で異なるサブフレームの長さを有する場合、又は
少なくとも２つの活性サービングセルが存在し、少なくとも２つの活性サービングセルが活性化された状態にある場合、前記活性化された状態にある少なくとも１つのサービングセルのアップリンクサブフレームが同じ時間区間内の２つの異なる周波数帯域で異なるサブフレームの長さを有する場合、
前記少なくとも１つのプロセッサは、第１タイプのＰＨＲ及び予め定義された第２タイプのＰＨＲを報告することを決定するように制御することを特徴とする請求項８に記載の装置。
【請求項１３】
前記サービングセルのサブフレームの長さは、前記端末装置によって受信される上位層シグナリング、前記端末装置によって受信されるパブリック物理層シグナリング、及び前記端末装置によって受信される端末装置−特定物理層シグナリングによって決定されることを特徴とする請求項１１又は１２に記載の装置。
【請求項１４】
前記少なくとも１つのプロセッサは、前記第１タイプのＰＨＲ及び前記第２タイプのＰＨＲを時分割多重化方式で報告するように制御し、
前記少なくとも１つのプロセッサは、
上位層シグナリングによって前記第１タイプのＰＨＲを報告するためのカテゴリー−１サブフレーム及び前記第２タイプのＰＨＲを報告するためのカテゴリー−２サブフレームを決定し、前記カテゴリー−１サブフレームで前記第１タイプのＰＨＲを送信し、前記カテゴリー−２サブフレームで前記第２タイプのＰＨＲを送信するか、又は
前記活性サービングセル内のサブフレームスケジューリング情報によって前記第１タイプのＰＨＲを報告するためのカテゴリー−１サブフレーム及び前記第２タイプのＰＨＲを報告するためのカテゴリー−２サブフレームを決定し、前記カテゴリー−１サブフレームで前記第１タイプのＰＨＲを送信し、前記カテゴリー−２サブフレームで前記第２タイプのＰＨＲを送信するように制御することを特徴とする請求項１２に記載の装置。
【発明の詳細な説明】
【技術分野】
【０００１】
本発明は、移動通信に関し、より詳細には、電力ヘッドルームレポート（ｐｏｗｅｒ  ｈｅａｄｒｏｏｍ  ｒｅｐｏｒｔ：ＰＨＲ）方法及び装置に関する。
【背景技術】
【０００２】
４Ｇ通信システムの商用化以降、増加の趨勢にある無線データトラフィック需要を充足させるために、改善された５Ｇ通信システム又はｐｒｅ−５Ｇ通信システムを開発するための努力が注がれている。このような理由で、５Ｇ通信システム又はｐｒｅ−５Ｇ通信システムは、「ビヨンド（Ｂｅｙｏｎｄ）４Ｇネットワーク」又は「ポスト（Ｐｏｓｔ）ＬＴＥシステム」と呼ばれている。
【０００３】
高いデータ伝送率を達成するために、５Ｇ通信システムは、超高周波（ｍｍＷａｖｅ）帯域（例えば、２０ＧＨｚ又は６０Ｈｚ帯域）での具現が考慮されている。超高周波帯域での電波の経路損失を緩和して電波の伝達距離を増加させるために、５Ｇ通信システムでは、ビームフォーミング（ｂｅａｍｆｏｒｍｉｎｇ）、マッシブマイモ（ｍａｓｓｉｖｅ  ＭＩＭＯ）、全次元ＭＩＭＯ（Ｆｕｌｌ  Ｄｉｍｅｎｓｉｏｎａｌ  ＭＩＭＯ：ＦＤ−ＭＩＭＯ）、アレイアンテナ（ａｒｒａｙ  ａｎｔｅｎｎａ）、アナログビームフォーミング（ａｎａｌｏｇ  ｂｅａｍ−ｆｏｒｍｉｎｇ）、及び大規模アンテナ（ｌａｒｇｅ  ｓｃａｌｅ  ａｎｔｅｎｎａ）技術が論議されている。
【０００４】
また、システムネットワークの改善のために、５Ｇ通信システムでは、改善された小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ：ｃｌｏｕｄ  ＲＡＮ）、超高密度ネットワーク（ｕｌｔｒａ−ｄｅｎｓｅ  ｎｅｔｗｏｒｋ）、Ｄ２Ｄ（Ｄｅｖｉｃｅ  ｔｏ  Ｄｅｖｉｃｅ  ｃｏｍｍｕｎｉｃａｔｉｏｎ）通信、無線バックホール（ｗｉｒｅｌｅｓｓ  ｂａｃｋｈａｕｌ）、移動ネットワーク、協調通信、ＣｏＭＰ（Ｃｏｏｒｄｉｎａｔｅｄ  Ｍｕｌｔｉ−Ｐｏｉｎｔｓ）、受信干渉除去などの技術開発が行われている。
【０００５】
５Ｇシステムでは、改善されたコーディング変調（Ａｄｖａｎｃｅｄ  Ｃｏｄｉｎｇ  Ｍｏｄｕｌａｔｉｏｎ：ＡＣＭ）技術であるＦＱＡＭ（Ｈｙｂｒｉｄ  ＦＳＫ  ａｎｄ  ＱＡＭ  Ｍｏｄｕｌａｔｉｏｎ）及びＳＷＳＣ（ｓｌｉｄｉｎｇ  ｗｉｎｄｏｗ  ｓｕｐｅｒｐｏｓｉｔｉｏｎ  ｃｏｄｉｎｇ）と、進歩したアクセス技術であるＦＢＭＣ（ｆｉｌｔｅｒ  ｂａｎｋ  ｍｕｌｔｉ  ｃａｒｒｉｅｒ）、ＮＯＭＡ（ｎｏｎ−ｏｒｔｈｏｇｏｎａｌ  ｍｕｌｔｉｐｌｅ  ａｃｃｅｓｓ）、及びＳＣＭＡ（ｓｐａｒｓｅ  ｃｏｄｅ  ｍｕｌｔｉｐｌｅ  ａｃｃｅｓｓ）などが開発されている。
【０００６】
ＬＴＥ（Ｌｏｎｇ  Ｔｅｒｍ  Ｅｖｏｌｕｔｉｏｎ）システムは、２つのデュプレクシングモード、即ち周波数分割デュプレクシング（ＦＤＤ）及び時分割デュプレクシング（ＴＤＤ）をサポートする。ＬＴＥシステムでの送信は基地局（例えば、ｅＮＢ）からユーザ端末（ＵＥ）へのダウンリンク送信及びＵＥから基地局へのアップリンク送信を含む。ＴＤＤシステムでは、アップリンク送信及びダウンリンク送信が異なる時間に同じキャリア上で行われる。ＦＤＤシステムでは、アップリンク送信及びダウンリンク送信が異なるキャリア上で行われる。図１は、ＬＴＥ  ＴＤＤシステムにおけるフレーム構造を示す概略図である。各無線フレームは１０ｍｓであり、５ｍｓの２つのハーフフレームに均一に細分化される。各ハーフフレームは０．５ｍｓの８個のタイムスロット及び１ｍｓの３つの特殊フィールド、即ちダウンリンクパイロット時間スロット（ＤｗＰＴＳ）、ガードタイム（ＧＰ）、及びアップリンクパイロット時間スロット（ＵｐＰＴＳ）を含む。各サブフレームは２つの連続した時間スロットで構成される。図１に示すフレーム構造によると、１０ｍｓ毎にアップリンク送信及びダウンリンク送信によって共有される１０個のサブフレームが存在する。各サブフレームはアップリンク送信又はダウンリンク送信のために割り当てられる。アップリンク送信のために割り当てられたサブフレームをアップリンクサブフレームと称し、ダウンリンク送信のために割り当てられたサブフレームをダウンリンクサブフレームと称する。ＴＤＤシステムは、表１に示すように、７つのタイプのアップリンク／ダウンリンク（ＵＬ／ＤＬ）構成をサポートする。ここで、Ｄはダウンリンクサブフレームを示し、Ｕはアップリンクサブフレームを示し、Ｓは３つの特殊フィールドの特殊サブフレームを示す。
【０００７】
【表１】
2019525666.tif 000003
【０００８】
ダウンリンクデータは、物理ダウンリンク共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）を介して送信される。ＨＡＲＱ−ＡＣＫ（Ｈｙｂｒｉｄ  Ａｕｔｏｍａｔｉｃ  Ｒｅｔｒａｎｓｍｉｓｓｉｏｎ  Ｒｅｑｕｅｓｔ−ａｃｋｎｏｗｌｅｄｇｅｍｅｎｔ）は、物理アップリンク共有チャネル（ＰＵＳＣＨ）又は物理アップリンク制御チャネル（ＰＵＣＣＨ）を介して送信される。アップリンクデータは物理アップリンク共有チャネル（ＰＵＳＣＨ）を介して送信される。
【０００９】
ＬＴＥシステムでは、より大きな動作帯域幅、即ちキャリアアグリゲーション（ｃａｒｒｉｅｒ  ａｇｇｒｅｇａｔｉｏｎ：ＣＡ）を獲得するために多重コンポーネントキャリア（ＣＣ）が集成される。各ＣＣはサービングセルとも称する。集成されたキャリアは、通信システムでダウンリンク及びアップリンクのリンクを構成するため、より大きな伝送速度が達成される。ＵＥがＣＡモードで構成される場合、セルの内の１つはプライマリセル（ｐｒｉｍａｒｙ  ｃｅｌｌ：Ｐｃｅｌｌ）と称され、他のセルはセカンダリセル（ｓｅｃｏｎｄａｒｙ  ｃｅｌｌ：Ｓｃｅｌｌ）と称される。ＬＴＥによると、ＰＵＳＣＨは任意のアップリンクＣＣで送信され、ＰＵＣＣＨはＰｃｅｌｌ又は特定アップリンクＳｃｅｌｌで送信される。
【００１０】
現在のＬＴＥ規定の下で、サービングセルｃのサブフレームｉでのＰＵＣＣＨの送信電力は下記式によって決定される。
【００１１】
【数１】
2019525666.tif 000004
【００１２】
上記式のパラメータの定義は、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）３６．２１３  ｖ１０．９．０  セクション５．１．２．１で確認される。次はパラメータの簡単な案内である。
【００１３】
ＰＣＭＡＸ，ｃ（ｉ）はサービングセルｃでＵＥに対して構成される最大送信電力であり、
ΔＦ＿ＰＵＣＣＨ（Ｆ）は基準フォーマット（ＬＴＥでＰＵＣＣＨフォーマット１ａ）からの電力オフセットであり、ΔＴｘＤ（Ｆ′）はＰＵＣＣＨフォーマット及び送信機ダイバーシティの使用に関連付けられたパラメータであり、ＰＬｃは経路損失であり、ＰＯ＿ＰＵＣＣＨは、上位層シグナリングによって構成される電力オフセットであり、ｇ（ｉ）は、閉ループ電力制御の累積合計であり、ｈ（ｎＣＱＩ、ｎＨＡＲＱ、ｎＳＲ）は、ＰＵＣＣＨフォーマットに関連付けられる電力オフセットであって、またフィードバックされるアップリンク制御情報（ＵＣＩ）のビット数に関連付けられ、ｎＣＱＩはサブフレームｉでフィードバックされるチャネル状態情報（ＣＳＩ）のビット数であり、ｎＳＲはサブフレームｉでフィードバックされるスケジューリング要求（ＳＲ）のビット数であり、ｎＳＲの値は０又は１であり、ｎＨＡＲＱはサブフレームｉで実際にフィードバックされるＨＡＲＱ−ＡＣＫのビット数である。
【００１４】
例えば、ＰＵＣＣＨフォーマット３で、ＣＳＩがフィードバックされる場合、下記式によって計算される。
【００１５】
【数２】
2019525666.tif 000005
【００１６】
現在のＬＴＥ規定によると、サービングセルｃのサブフレームｉでのＰＵＳＣＨの送信電力は下記式によって決定される。
【００１７】
【数３】
2019525666.tif 000006
【００１８】
上記式のパラメータの定義は、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）３６．２１３  ｖ１０．９．０セクション５．１．１．１で確認される。次はパラメータの簡単な案内である。
【００１９】
ＰＣＭＡＸ，ｃ（ｉ）はサービングセルｃのサブフレームｉでＵＥに対して構成される最大送信電力であり、ＭＰＵＳＣＨ，ｃ（ｉ）はＰＵＳＣＨによって占有される物理リソースブロック（ｐｈｙｓｉｃａｌ  ｒｅｓｏｕｒｃｅ  ｂｌｏｃｋ：ＰＲＢ）の数であり、Ｐ０＿ＰＵＳＣＨ，ｃ（ｊ）は上位層シグナリングによって構成される電力オフセットであり、ＰＬｃは経路損失であり、αｃ（ｊ）は、経路損失補償レートを制御するためのものであって、半永続スケジューリング（ＳＰＳ）でＰＵＳＣＨ又はＰＵＳＣＨ再送の場合はｊ＝０であり、動的スケジューリングでＰＵＳＣＨ又はＰＵＳＣＨ再送の場合はｊ＝１であり、ランダムアクセス応答（ＲＡＲ）スケジューリングでＰＵＳＣＨ又はＰＵＳＣＨ再送の場合はｊ＝２である。
【００２０】
ｆｃ（ｉ）は閉ループ電力制御の累積値であり、ΔＴＦ，ｃ（ｉ）はアップリンク送信の変調及びコーディング方式（ＭＣＳ）に関連付けられたパラメータである。特に、Ｋｓが１．２５の場合、下記式によって計算される。
【数４】
2019525666.tif 000007
【００２１】
非周期的ＣＳＩ（Ａ−ＣＳＩ）のみが送信されてアップリンクデータが送信されない場合、
【数５】
2019525666.tif 000008
であり、アップリンクデータが送信される場合、
【数６】
2019525666.tif 000009
であり、Ｃは送信ブロック（ＴＢ）内のコードブロックの数であり、Ｋｒはｒ番目のＣＢのビット数であり、ＮＲＥはＰＵＳＣＨでのリソース要素（ｒｅｓｏｕｒｃｅ  ｅｌｅｍｅｎｔ、ＲＥ）の総数である。
【００２２】
アップリンクリソースをスケジューリングするための基準を基地局に提供するために、ＵＥは特定スケジューリング方式の下で残りの電力ヘッドルームをＰＨＲ（ｐｏｗｅｒ  ｈｅａｄｒｏｏｍ  ｒｅｐｏｒｔ）で報告する。ＵＥは同じサブフレーム内でＰＵＳＣＨ及びＰＵＣＣＨを送信できるか否かに関するＵＥの構成によって、タイプ１のＰＨＲのみを報告するか、又はタイプ１のＰＨＲ及びタイプ２のＰＨＲをいずれも報告するかを決定する。即ち、ＵＥが同じサブフレーム内でＰＵＳＣＨ及びＰＵＣＣＨを送信するように構成された場合、ＵＥは報告されるＰＵＣＣＨを受信するサービングセルにタイプ１のＰＨＲ及びタイプ２のＰＨＲを同時に報告すると決定し、ＵＥが同じサブフレーム内でＰＵＳＣＨ及びＰＵＣＣＨを送信しないように構成された場合、ＵＥは報告されるＰＵＣＣＨを受信するサービングセルにタイプ１のＰＨＲのみを報告すると決定する。次は、タイプ１のＰＨＲ及びタイプ２のＰＨＲを計算する方法である。
【００２３】
（１）タイプ１のＰＨＲの計算方法
【００２４】
ＵＥがサービングセルｄのサブフレームｉでＰＵＣＣＨを送信せずにＰＵＳＣＨを送信する場合、下記式によって計算される。
【００２５】
【数７】
2019525666.tif 000010
【００２６】
上記式のパラメータの定義は、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）３６．２１３  ｖ１０．９．０  セクション５．１．１．１で確認される。
【００２７】
ＵＥがサービングセルｃのサブフレームｉでＰＵＳＣＨ及びＰＵＣＣＨをいずれも送信する場合、タイプ１のＰＨＲは下記式によって計算される。
【００２８】
【数８】
2019525666.tif 000011
【００２９】
上記式で、ＭＰＵＳＣＨ，ｃ（ｉ）、ＰＯ＿ＰＵＳＣＨ，ｃ（ｊ）、αｃ（ｊ）、ＰＬｃ、ΔＴＦ，ｃ（ｉ）及びｆｃ（ｉ）は、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）３６．２１３  ｖ１０．９．０  セクション５．１．１．１で確認される。
【００３０】
2019525666.tif 000012
は、ＵＥがサービングセルｃのサブフレームｉでＰＵＳＣＨのみを送信すると仮定する際に計算されるＰＵＳＣＨの最大送信電力である。
【００３１】
ＵＥがサービングセルｃのサブフレームｉでＰＵＳＣＨを送信しない場合、タイプ１のＰＨＲは下記式によって計算される。
【００３２】
【数９】
2019525666.tif 000013
【００３３】
上記式のパラメータの定義は、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）３６．２１３  ｖ１０．９．０  セクション５．１．１．１で確認される。
【００３４】
（２）タイプ２のＰＨＲの計算方法
【００３５】
ＵＥがサービングセルｃのサブフレームｉでＰＵＳＣＨ及びＰＵＣＣＨをいずれも送信する場合、タイプ２のＰＨＲは下記式によって計算される。
【００３６】
【数１０】
2019525666.tif 000014
【００３７】
上記式で、ＭＰＵＳＣＨ，ｃ（ｉ）、ＰＯ＿ＰＵＳＣＨ，ｃ（ｊ）、αｃ（ｊ）、ＰＬｃ、ΔＴＦ，ｃ（ｉ）及びｆｃ（ｉ）の定義は３ＧＰＰ３６．２１３  ｖ１０．９．０  セクション５．１．１．１で確認され、ＰＯ＿ＰＵＣＣＨ、ＰＬｃ、ｈ（ｎＣＱＩ、ｎＨＡＲＱ、ｎＳＲ）、ΔＦ＿ＰＵＣＣＨ（Ｆ）、ΔＴｘＤ（Ｆ′）、及びｇ（ｉ）の定義は３ＧＰＰ３６．２１３  ｖ１０．９．０  セクション５．１．２．１で確認される。
【００３８】
ＵＥがサービングセルｃのサブフレームｉでＰＵＣＣＨを送信せずにＰＵＳＣＨを送信する場合、タイプ２のＰＨＲは、下記式によって計算される。
【００３９】
【数１１】
2019525666.tif 000015
【００４０】
上記式で、ＭＰＵＳＣＨ，ｃ（ｉ）、ＰＯ＿ＰＵＳＣＨ，ｃ（ｊ）、αｃ（ｊ）、ＰＬｃ、ΔＴＦ，ｃ（ｉ）、及びｆｃ（ｉ）の定義は３ＧＰＰ３６．２１３  ｖ１０．９．０  セクション５．１．１．１で確認され、ＰＯ＿ＰＵＣＣＨ、ＰＬｃ、及びｇ（ｉ）の定義は３ＧＰＰ３６．２１３  ｖ１０．９．０  セクション５．１．２．１で確認される。
【００４１】
ＵＥがサービングセルｃのサブフレームｉでＰＵＣＣＨを送信せずにＰＵＳＣＨを送信する場合、タイプ２のＰＨＲは下記式によって計算される。
【００４２】
【数１２】
2019525666.tif 000016
【００４３】
上記式で、ＰＯ＿ＰＵＳＣＨ，ｃ（１）、αｃ（１）、ＰＬｃ、及びｆｃ（ｉ）の定義は３ＧＰＰ３６．２１３  ｖ１０．９．０  セクション５．１．１．１で確認され、ＰＯ＿ＰＵＣＣＨ、ＰＬｃ、ｈ（ｎＣＱＩ、ｎＨＡＲＱ、ｎＳＲ）、ΔＦ＿ＰＵＣＣＨ（Ｆ）、及びｇ（ｉ）の定義は３ＧＰＰ３６．２１３  ｖ１０．９．０  セクション５．１．２．１で確認される。
【００４４】
ＵＥがサービングセルｃのサブフレームｉでＰＵＳＣＨもＰＵＣＣＨも送信しない場合、タイプ２のＰＨＲは下記式によって計算される。
【００４５】
【数１３】
2019525666.tif 000017
【００４６】
上記式で、ＰＯ＿ＰＵＳＣＨ，ｃ（１）、αｃ（１）、ＰＬｃ、及びｆｃ（ｉ）の定義は３ＧＰＰ３６．２１３  ｖ１０．９．０  セクション５．１．１．１で確認され、ＰＯ＿ＰＵＣＣＨ、ＰＬｃ、及びｇ（ｉ）の定義は３ＧＰＰ３６．２１３  ｖ１０．９．０  セクション５．１．２．１で確認される。
【００４７】
ｅＮＢは、２つのタイマー及び上位層シグナリングを介したダウンリンク経路損失変更（ｄｌ−ＰａｔｈｌｏｓｓＣｈａｎｇｅ）を構成することによってＰＨＲを送信する時点を決定する。２つのタイマーとしては、周期的ＰＨＲタイマー（ＰｅｒｉｏｄｉｃＰＨＲ−Ｔｉｍｅｒ）及び禁止ＰＨＲタイマー（ＰｒｏｈｉｂｉｔＰＨＲ−Ｔｉｍｅｒ）を含む。次のコードは、上位層シグナリングを介して構成される２つのタイマー及びｄｌ−ＰａｔｈｌｏｓｓＣｈａｎｇｅである。ＰｅｒｉｏｄｉｃＰＨＲ−Ｔｉｍｅｒ及びＰｒｏｈｉｂｉｔＰＨＲ−Ｔｉｍｅｒの構成は、１ｍｓのサブフレーム単位からなる。
【００４８】
【数１４】
2019525666.tif 000018
【００４９】
次のイベントの内の１つがＰＨＲをトリガーする。
【００５０】
１．ＰｒｏｈｉｂｉｔＰＨＲ−Ｔｉｍｅｒが既に終了したか又は終了してサービングセルの経路損失変化が所定の経路損失変化範囲を超過する場合；
２．ＰｅｒｉｏｄｉｃＰＨＲ−Ｔｉｍｅｒが終了した場合；
３．ＰＨＲの機能が構成又は再構成された場合；
４．アップリンク送信で構成されたサービングセルが活性化された場合。
【００５１】
ＰＨＲがトリガーされてＰＨＲ送信が行われる前に、ＵＥが初期送信データのためのＰＵＳＣＨリソースを有する場合はＰＨＲが送信され、割り当てられたＰＵＳＣＨリソースはＰＨＲＭＡＣ制御要素及びサブヘッダを有する。
【００５２】
拡張されたＰＨＲが構成されると、ＣＡシステムは常に拡張されたＰＨＲで構成され、ＵＥは全ての活性サービスセルのＰＨＲを報告しなければならない。各活性サービングセルに対してＰＨＲが生成され、全ての活性サービングセルのＰＨＲが１つのサービングセルのＰＵＳＣＨリソースで送信される。
【００５３】
拡張されたＰＨＲが構成されない場合、即ち非ＣＡシステムでＵＥはサービングセルのＰＨＲを報告しなければならない。
【００５４】
１つのサブフレームでＰＨＲを送信した後、ＵＥはＰｅｒｉｏｄｉｃＰＨＲ−Ｔｉｍｅｒ及びＰｒｏｈｉｂｉｔＰＨＲ−Ｔｉｍｅｒをリスタートし、全てのＰＨＲトリガーをキャンセルする。
【００５５】
以上、ＰＨＲを報告する際のＰＨＲタイプ及びＰＨＲを送信する時点を決定する方法に対する簡単な紹介である。しかし、ＵＥがＰＨＲを報告する必要がある場合に報告されるＰＨＲのタイプ及びＰＨＲを報告する時点を決定する方法に対する細部事項は存在しない。即ち、ＵＥがＰＨＲをどのように報告するかは、未だに解決していない問題である。
【発明の概要】
【発明が解決しようとする課題】
【００５６】
本発明は、上記従来の問題点に鑑みてなされたものであって、本発明の目的は、ＵＥがＰＨＲを報告できるようにするＰＨＲ方法を提供することにある。
また、本発明の目的は、ＵＥがＰＨＲを報告する方法を具現するためのＰＨＲ装置を提供することにある。
【課題を解決するための手段】
【００５７】
上記目的を達成するためになされた本発明の一態様による無線通信システムにおけるユーザ端末（ＵＥ）を動作させる方法は、ＵＥにより、活性サービングセル（ａｃｔｉｖｅ  ｓｅｒｖｉｎｇ  ｃｅｌｌ）内のアップリンクサブフレームの構造によってＰＨＲ（ｐｏｗｅｒ  ｈｅａｄｒｏｏｍ  ｒｅｐｏｒｔ）報告方式を決定するステップと、ＵＥにより、前記ＰＨＲ報告方式によってＰＨＲを計算して前記ＰＨＲを基地局に送信するステップと、を有する。
【００５８】
一実施形態によるＰＨＲ装置は、決定ユニット、計算ユニット、及び送信ユニットを備え、決定ユニットは、活性サービングセル内のアップリンクサブフレームの構造によってＰＨＲ報告方式を決定し、計算モジュールは、ＰＨＲ報告方式によってＰＨＲを計算し、送信ユニットは、計算されたＰＨＲを基地局に送信する。
【００５９】
一実施形態による方法及び装置は、ＵＥが予めＰＨＲ報告方式を決定し、ＰＨＲを計算し、ＰＨＲを報告することによって、ＵＥにおけるＰＨＲ報告プロセスを具現する。
【発明の効果】
【００６０】
本発明は、改善されたシステム性能を提供する。
【図面の簡単な説明】
【００６１】
【図１】ＬＴＥ  ＴＤＤシステムにおける従来のフレーム構造を示す概略図である。
【図２】本発明の一実施形態によるＰＨＲ方法を示すフローチャートである。
【図３】本発明の第１実施形態によるＵＥのサービングセルの異なる時間区間でのサブフレームの長さを示す概略図である。
【図４】本発明の第１実施形態によるＵＥのサービングセルの同じ時間区間内の異なる周波数帯域でのサブフレームの長さを示す概略図である。
【図５】本発明の第１実施形態によるＵＥの異なるサービングセルの同じ時間区間内のサブフレームの長さを示す概略図である。
【図６】本発明の第１実施形態によるＰＨＲでのＵＥによって決定されたＰｅｒｉｏｄｉｃＰＨＲ−Ｔｉｍｅｒ及びＰｒｏｈｉｂｉｔＰＨＲ−Ｔｉｍｅｒの第１例を示す概略図である。
【図７】本発明の第１実施形態によるＰＨＲでのＵＥによって決定されたＰｅｒｉｏｄｉｃＰＨＲ−Ｔｉｍｅｒ及びＰｒｏｈｉｂｉｔＰＨＲ−Ｔｉｍｅｒの第２例を示す概略図である。
【図８】本発明の第２実施形態による方法３のＵＥの複数のサービングセルのサブフレームの長さ１を示す概略図である。
【図９】本発明の第２実施形態による方法３のＵＥの複数のサービングセルのサブフレームの長さ２を示す概略図である。
【図１０】本発明の第２実施形態による方法３のＵＥの複数のサービングセルのサブフレームの長さ３を示す概略図である。
【図１１】本発明の第３実施形態の方法３によるＵＥの複数のサービングセルのタイムスロットの長さ１を有するタイムスロットを示す概略図である。
【図１２】本発明の第３実施形態の方法１によるＵＥの複数のサービングセルのタイムスロットの長さ１を有するタイムスロットを示す概略図である。
【図１３】本発明の第３実施形態の方法１によるＵＥの複数のサービングセルのタイムスロットの長さ２を有するスロットタイムを示す概略図である。
【図１４】本発明の一実施形態によるＰＨＲ装置のモジュールを示す概略図である。
【図１５】本発明の一実施形態による無線通信システムにおける端末装置の例示的な構成を示す概略図である。
【発明を実施するための形態】
【００６２】
本発明の目的、技術的な方式及び長所をより明確にするために、本発明の詳細な説明を特定の実施形態を参照して以下に提供する。
【００６３】
本発明の目的を考慮して、多様な実施形態がＰＨＲ方法を提供する。図２に示すように、本方法は次の手順を含む。
【００６４】
ステップ２０１で、ユーザ端末（ＵＥ）は、活性サービングセル内のアップリンクサブフレームの構造によってＰＨＲ報告方式を決定する。
【００６５】
ステップ２０２で、ＵＥは、ＰＨＲ報告方式によってＰＨＲを計算し、該ＰＨＲを基地局に送信する。
【００６６】
本発明のメカニズムに対して、下記のいくつかの例を参照して詳細に説明する。
【００６７】
第１実施形態
【００６８】
本実施形態は、ＰＨＲのＰｅｒｉｏｄｉｃＰＨＲ−Ｔｉｍｅｒ及びＰｒｏｈｉｂｉｔＰＨＲ−Ｔｉｍｅｒの構成方法及び使用方法を導入する。下記のような状況が存在する。
【００６９】
状況１：ＵＥは、１つのサービングセル、即ち１つのキャリアで構成される。サブフレームは異なる時間区間で異なる長さを有し、サブフレームの長さは、上位層シグナリングによって構成されるか、プロトコルで予め定義されるか、又は物理層シグナリングによって表される。例えば、図３は、本発明の第１実施形態によるＵＥのサービングセルの異なる時間区間でのサブフレームの長さを示す概略図である。図３に示すように、一部の時間区間でのサブフレームはＴ１ｍｓの長さを有し（例えば、Ｔ１は１ｍｓである）、一部の時間区間でのサブフレームはＴ２ｍｓの長さを有する（例えば、Ｔ２は０．５ｍｓである）。
【００７０】
状況２：ＵＥは、１つのサービングセル、即ち１つのキャリアで構成される。サブフレームは同じ時間区間内の異なる周波数帯域で異なる長さを有し、サブフレームの長さは、上位層シグナリングによって構成されるか、プロトコルで予め定義されるか、又は物理層シグナリングによって表される。例えば、図４は、本発明の第１実施形態によるＵＥのサービングセルの同じ時間区間内の異なる周波数帯域でのサブフレームの長さを示す概略図である。図４に示すように、一部の周波数帯域でのサブフレームはＴ１ｍｓの長さを有し（例えば、Ｔ１は１ｍｓである）、一部の周波数帯域でのサブフレームはＴ２ｍｓの長さを有する（例えば、Ｔ２は０．５ｍｓである）。
【００７１】
状況３：ＵＥは複数のサービングセルで構成され、即ちＵＥは複数のキャリアで構成される。サブフレームは同じ時間区間内の異なるサービングセルで異なる長さを有し、サブフレームの長さは、上位層シグナリングによって構成されるか、プロトコルで予め定義されるか、又は物理層シグナリングによって表される。例えば、図５は、本発明の第１実施形態による同じ時間区間内のＵＥの複数のサービングセルでのサブフレームの長さを示す概略図である。図５に示すように、一部のサービングセルでのサブフレームはＴ１ｍｓの長さを有し（例えば、Ｔ１は１ｍｓである）、一部のサービングセルでのサブフレームはＴ２ｍｓの長さを有する（例えば、Ｔ２は０．５ｍｓである）。
【００７２】
状況１、状況２、及び状況３で、ＵＥは次の方法を用いて、ＰＨＲでＰｅｒｉｏｄｉｃＰＨＲ−Ｔｉｍｅｒ及びＰｒｏｈｉｂｉｔＰＨＲ−Ｔｉｍｅｒの構成を決定し、ＰＨＲでＰｅｒｉｏｄｉｃＰＨＲ−Ｔｉｍｅｒ及びＰｒｏｈｉｂｉｔＰＨＲ−ＴｉｍｅｒによってＰＨＲを報告する時点を決定する。
【００７３】
ＰｅｒｉｏｄｉｃＰＨＲ−Ｔｉｍｅｒ及びＰｒｏｈｉｂｉｔＰＨＲ−Ｔｉｍｅｒの構成は時間単位Ｔからなる。Ｔは、上位層シグナリングによって構成されるか又はプロトコルで予め定義され、基準時間単位と称する。例えば、Ｔは上位層シグナリングによって構成されるか又はプロトコルによって１ｍｓに定義され、Ｔの値が決定された後、ＰｅｒｉｏｄｉｃＰＨＲ−Ｔｉｍｅｒ及びＰｒｏｈｉｂｉｔＰＨＲ−Ｔｉｍｅｒは、以下に示す構成によって決定される。
【００７４】
【数１５】
2019525666.tif 000019
【００７５】
上記構成を受信した後、ＵＥは、ＰｅｒｉｏｄｉｃＰＨＲ−Ｔｉｍｅｒ及びＰｒｏｈｉｂｉｔＰＨＲ−Ｔｉｍｅｒを識別し、該２つのタイマーによってＰＨＲを報告する時点を決定する。
【００７６】
即ち、サブフレームの長さがＴの場合、Ｔは全てのサブフレームに番号を付ける単位として扱われる。例えば、Ｔがミリ−セコンドでカウントされる場合、例えばＴの値は０．５ｍｓであり、全てのサブフレームに番号付けされてサブフレームの一連番号はｔとなり、ｔは自然数である。ＰｅｒｉｏｄｉｃＰＨＲ−Ｔｉｍｅｒ及びＰｒｏｈｉｂｉｔＰＨＲ−Ｔｉｍｅｒの状態値は、サブフレームの一連番号ｔに従って計算される。
【００７７】
サブフレームの長さＴ１がＴよりも小さい場合、全てのサブフレームにＴ１単位で番号付けされ、サブフレームにｔ１＝０，１，…と番号付けされる。ＰｅｒｉｏｄｉｃＰＨＲ−Ｔｉｍｅｒ及びＰｒｏｈｉｂｉｔＰＨＲ−Ｔｉｍｅｒの値はｆｌｏｏｒ（ｔ１／（Ｔ／Ｔ１））によって計算され、ｆｌｏｏｒ（）はラウンドダウン（ｒｏｕｎｄｉｎｇ  ｄｏｗｎ）演算を示す。即ち、ＰｅｒｉｏｄｉｃＰＨＲ−Ｔｉｍｅｒ及びＰｒｏｈｉｂｉｔＰＨＲ−Ｔｉｍｅｒの状態値は、図６に示すように、サブフレームの長さがＴであるサブフレームの一連番号に従って計算され、Ｔはサブフレームの長さがＴ１であるサブフレームを含む。図６は、本発明の第１実施形態によるＵＥによって決定されたＰＨＲでのＰｅｒｉｏｄｉｃＰＨＲ−Ｔｉｍｅｒ及びＰｒｏｈｉｂｉｔＰＨＲ−Ｔｉｍｅｒの第１例を示す概略図である。
【００７８】
サブフレームの長さＴ１がＴよりも大きい場合、全てのサブフレームにＴ１の単位で番号付けされ、サブフレームはｔ１＝０，１，…と番号付けされる。ＰｅｒｉｏｄｉｃＰＨＲ−Ｔｉｍｅｒ及びＰｒｏｈｉｂｉｔＰＨＲ−Ｔｉｍｅｒの状態値は、ｔ１＊（Ｔ１／Ｔ）によって計算される。即ち、ＰｅｒｉｏｄｉｃＰＨＲ−Ｔｉｍｅｒ及びＰｒｏｈｉｂｉｔＰＨＲ−Ｔｉｍｅｒの状態値は、図７に示すように、サブフレームの長さがＴであるサブフレームにある第１サブフレームの一連番号に従って計算され、Ｔはサブフレームの長さがＴ１であるサブフレームによってカバーされる。図７は、本発明の第１実施形態によるＵＥによって決定されたＰＨＲでのＰｅｒｉｏｄｉｃＰＨＲ−Ｔｉｍｅｒ及びＰｒｏｈｉｂｉｔＰＨＲ−Ｔｉｍｅｒの第２例を示す概略図である。
【００７９】
ＵＥが１つ以上のサービングセルで構成される場合、ＰｅｒｉｏｄｉｃＰＨＲ−Ｔｉｍｅｒ及びＰｒｏｈｉｂｉｔＰＨＲ−Ｔｉｍｅｒを決定する他の方法は、個別的なＰｅｒｉｏｄｉｃＰＨＲ−Ｔｉｍｅｒ及び／又はＰｒｏｈｉｂｉｔＰＨＲ−Ｔｉｍｅｒを用いてＵＥに対して構成された異なるサービングセル又は異なるサービングセルセットの各々でＰＨＲを活性化することを含む。個別的なＰｅｒｉｏｄｉｃＰＨＲ−Ｔｉｍｅｒ及び／又はＰｒｏｈｉｂｉｔＰＨＲ−Ｔｉｍｅｒを用いてＰＨＲを活性化することは、ＵＥが個別的なＰｅｒｉｏｄｉｃＰＨＲ−Ｔｉｍｅｒ及び／又はＰｒｏｈｉｂｉｔＰＨＲ−Ｔｉｍｅｒの時間単位及び値を使用する異なるサービングセル又は異なるサービングセルセットの各々を示し、ＵＥに対して構成された異なるサービングセルの各々のＰＨＲ又は異なるサービングセルセットの各々のＰＨＲは、各々のＰｅｒｉｏｄｉｃＰＨＲ−Ｔｉｍｅｒ及び／又はＰｒｏｈｉｂｉｔＰＨＲ−Ｔｉｍｅｒによって活性化されて個別的に報告される。ＵＥは受信された上位層シグナリングからＵＥに対して構成された各サービングセルに対応するＰｅｒｉｏｄｉｃＰＨＲ−Ｔｉｍｅｒ及び／又はＰｒｏｈｉｂｉｔＰＨＲ−Ｔｉｍｅｒの時間単位及び値を決定する。
【００８０】
次は、一例である。本例で、ＵＥは３つのサービングセル、即ちサービングセル１、サービングセル２、及びサービングセル３で構成され、ＰＨＲ報告のためにＰｅｒｉｏｄｉｃＰＨＲ−Ｔｉｍｅｒ及びＰｒｏｈｉｂｉｔＰＨＲ−Ｔｉｍｅｒの２対で構成されるが、一方はＰｅｒｉｏｄｉｃＰＨＲ−Ｔｉｍｅｒ−１及びＰｒｏｈｉｂｉｔＰＨＲ−Ｔｉｍｅｒ−１で、他方はＰｅｒｉｏｄｉｃＰＨＲ−Ｔｉｍｅｒ−２及びＰｒｏｈｉｂｉｔＰＨＲ−Ｔｉｍｅｒ−２である。サービングセル１及びサービングセル２はサービングセルセットを形成し、該サービングセルセットのＰＨＲはサービングセル１のＰＨＲ及びサービングセル２のＰＨＲが共に報告される前にＰｅｒｉｏｄｉｃＰＨＲ−Ｔｉｍｅｒ−１及びＰｒｏｈｉｂｉｔＰＨＲ−Ｔｉｍｅｒ−１によって活性化される。サービングセル３のＰＨＲはＰｅｒｉｏｄｉｃＰＨＲ−Ｔｉｍｅｒ−２及びＰｒｏｈｉｂｉｔＰＨＲ−Ｔｉｍｅｒ−２によって活性化された後に報告される。
【００８１】
本方法は、異なるサービングセルが異なるタイムスロットの長さを有する場合に簡単な処理方式を用いる。また、異なるサービングセルは非常に異なる経路損失を有する。一部のサービングセルは小さな経路損失変化を有し、例えば低周波数帯域で動作するサービングセルは小さな経路損失変化を有する。一部の他のサービングセルは大きな経路損失変化を有し、例えば高周波数帯域で動作するサービングセルは大きな経路損失変化を有する。高周波数帯域でサービングセルの経路損失変化がしきい値に到達する際に全てのサービングセルに対するＰＨＲ報告が活性化される方法によると、ＰＨＲ報告は過度に多くの物理アップリンクリソースを消耗する。これに対し、個別的なＰｅｒｉｏｄｉｃＰＨＲ−Ｔｉｍｅｒ及びＰｒｏｈｉｂｉｔＰＨＲ−Ｔｉｍｅｒを用いてＰＨＲを活性化する方法は、高周波数帯域で動作するサービングセルのＰＨＲのみを報告できるため、ＰＨＲ報告による過度な物理リソースの消耗を回避することができる。
【００８２】
第２実施形態
【００８３】
本実施形態は、ＰＨＲを送信する方法を導入する。
【００８４】
ＵＥが少なくとも２つのサービングセルで構成され、サービングセルの内の少なくとも２つのサービングセルが活性化された場合、少なくとも１つの活性サービングセルのサブフレームは、図３に示すように、異なる時間区間で異なるサブフレームの長さを有する。他の例で、ＵＥが少なくとも２つのサービングセルで構成され、サービングセルの内の少なくとも２つのサービングセルが活性化された場合、少なくとも１つの活性サービングセルのサブフレームは、図４に示すように、同じ時間区間内の異なる周波数帯域で異なるサブフレームの長さを有する。
【００８５】
ＵＥは次の方法によってサブフレームの長さを決定する。
【００８６】
１）ＵＥは受信された上位層シグナリングによってサブフレームの長さを決定する。
２）ＵＥは受信されたパブリック物理層シグナリングによってサブフレームの長さを決定する。
３）ＵＥは受信されたＵＥ−特定物理層シグナリングによってサブフレームの長さを決定し、例えばＰＵＳＣＨを送信するサブフレームの長さはＰＵＳＣＨをスケジューリングするアップリンク（ＵＬ）ダウンリンク制御情報（ｄｏｗｎｌｉｎｋ  ｃｏｎｔｒｏｌ  ｉｎｆｏｒｍａｔｉｏｎ：ＤＣＩ）を用いて識別する。
【００８７】
異なる長さを有するサブフレームは、ＰＵＳＣＨサービス送信のコード誤り率に対して異なる要件を有するため、電力制御のためのパラメータが異なる場合がある。例えば、正規サービス（ｒｅｇｕｌａｒ  ｓｅｒｖｉｃｅ）を送信するためのサブフレームの長さが１ｍｓであり、コード誤り率要件は１％であり、高信頼低遅延サービス（ｈｉｇｈ−ｒｅｌｉａｂｌｅ  ｌｏｗ−ｄｅｌａｙ  ｓｅｒｖｉｃｅ）を送信するためのサブフレームの長さは０．２５であり、コード誤り率要件は１０ｅ−５である。ＵＬリソースをスケジューリングするための基地局に対する基準を提供するために、ＵＥはＰＨＲを報告する必要がある。一例では、２つのタイプのサービスが異なる電力制御パラメータを有し、第１タイプＰＨＲ及び第２タイプＰＨと称される２つのタイプのＰＨＲが報告される。その理由は、異なるＰＵＳＣＨ送信が異なる電力制御パラメータを採用する場合に報告される対応するタイプのＰＨＲを各ＰＵＳＣＨ送信が有するためである。例えば、タイプ−１サービスは正規サービスであり、タイプ−２サービスは低遅延及び高信頼性を必要とするサービスである。他の例で、ＰＵＳＣＨ送信のための異なる波形が存在し、例えばＰＵＳＣＨ送信のための波形のタイプはサイクリックプレフィックス−ＯＦＤＭ（ｃｙｃｌｉｃ  ｐｒｅｆｉｘ−ＯＦＤＭ：ＣＰ−ＯＦＤＭ）であり、ＰＵＳＣＨ送信のための他のタイプの波形はシングルキャリア−ＯＦＤＭ（ｓｉｎｇｌｅ  ｃａｒｒｉｅｒ−ＯＦＤＭ：ＳＣ−ＯＦＤＭ）であり、該２つのタイプの波形は各々のＰＨＲを報告しなければならない。更に他の例で、ＰＵＳＣＨ送信のための異なるサブ−キャリア空間が存在し、例えばＰＵＳＣＨ送信のための一方のタイプのサブ−キャリア空間は１５ｋＨｚであり、ＰＵＳＣＨ送信のための他方のタイプのサブ−キャリア空間は６０ｋＨｚであり、該２つのタイプのサブ−キャリア空間も各々のＰＨＲを報告しなければならない。更に他の例で、ＰＵＳＣＨ送信のためのビームは異なる方向であり、ビームの各々のＰＨＲが報告される。上記の分析されたファクタを考慮して、ＵＥは上位層シグナリング又は物理シグナリングから受信された構成を用いて報告される個別的なＰＨＲの数及びＰＨＲの特性を識別する。各ＰＨＲの特性としては、波形、サブ−キャリア空間、サービス、ビームなどをはじめとするＰＨＲを計算するためのＰＵＳＣＨ送信ファクタを含む。本方法は、２つ以上のＰＨＲが報告され、報告されたＰＨＲが異なる１つ以上の特性、例えば波形、サブ−キャリア空間、サービス、ビームを有する状況に適用されるように拡張される。
【００８８】
ＵＥに対して構成された複数のサービングセルの場合、一部のサービングセルは異なる時間区間及び異なる周波数帯域で同じサブフレームの長さを有し、１つのタイプのサービスのみが送信される。従って、電力制御パラメータのセットが定義される。例えば、正規サービスのみを送信するか、又は高信頼・低遅延サービスのみを送信するサービングセルには１つのタイプのみのＰＨＲが報告される。異なる時間区間及び異なる周波数帯域で異なるサブフレームの長さを有する一部のサービングセルが存在して２つのタイプのサービスを送信すると、２セットの電力制御パラメータを有する。このようなサービングセルの場合には、２つのタイプのＰＨＲが報告される。ＵＥは、ＵＥに構成された各サービングセルに対して１つのタイプのＰＨＲを報告するか、又は２つのタイプのＰＨＲを報告するかを決定する。
【００８９】
方法１
【００９０】
２つのタイプのＰＨＲが報告されたサービングセルでは、２つのタイプのＰＨＲが時分割多重化方式で報告され、各サービングセルの場合、第１タイプＰＨＲ及び第２タイプＰＨＲの内の１つのみが毎度報告される。ＵＥは次の方式によって第１タイプＰＨＲを報告するか又は第２タイプＰＨＲを報告するかを決定する。
【００９１】
方式ａ：
【００９２】
上位層シグナリングから受信された構成によって、ＵＥは第１タイプＰＨＲを報告するためにどのサブフレームがＵＥによって使用されるかを識別し、第２タイプＰＨＲを報告するためにどのサブフレームが使用されるかを識別する。これにより、ＵＥ及び基地局は、報告されたＰＨＲのタイプを間違わない（ｍｉｓｔａｋｅ）。
【００９３】
ＵＥがサブフレームでＰＨＲを報告する必要がある場合、ＵＥは上位層シグナリングによって構成されたサブフレームに対応するＰＨＲのタイプを報告する。この方法は、ＵＥがサービングセルで異なるサービスを送信するサブフレームも上位層シグナリングによって構成されることを必要とする。１つのタイプのサービスを送信するサブフレームは、他のタイプのサービスを送信するサブフレームになるように動的に変更されず、これは高信頼低遅延サービスのタイムリーな送信に影響を及ぼす。
【００９４】
方式ｂ：
【００９５】
ＵＥは、特定サービングセル内のサブフレームで送信されたコンテンツによってそのサブフレームで第１タイプＰＨＲを報告するか、又は第２タイプＰＨＲを報告するかを決定する。特に、サブフレームがカテゴリー−１サービスのＰＵＳＣＨのみを送信する場合、ＵＥは第１タイプＰＨＲを報告し、サブフレームがカテゴリー−２サービスのＰＵＳＣＨのみを送信する場合、ＵＥは第２タイプＰＨＲを報告する。ＵＥがカテゴリー−１サービスのＰＵＳＣＨ及びカテゴリー−２サービスのＰＵＳＣＨのいずれも送信するか、又はＵＥがカテゴリー−１サービスのＰＵＳＣＨもカテゴリー−２サービスのＰＵＳＣＨも送信しない場合、上位層シグナリングは、どのサブフレームがＵＥによって第１タイプＰＨＲを報告するために用いられ、どのサブフレームが第２タイプＰＨＲを報告するために用いられるかを構成する。他の例で、ＰＨＲはプロトコルによって決定されたＰＨＲのデフォルトタイプによって報告され、例えば第２タイプＰＨＲがこのような状況で報告される。該方法は、ＰＨＲのタイプを間違わせる。例えば、ＵＥが第１タイプＰＨＲを報告しなければならないが、ＵＥがサービングセルからスケジューリングシグナリングを受信できないことを意味するカテゴリー−１サービスを基地局がスケジューリングする場合、ＵＥは規則によって第２タイプＰＨＲを報告する。これによって、ＵＥ及び基地局は報告されたＰＨＲのタイプを間違う。ＵＥは、異なるＤＣＩフォーマットによって、又はＤＣＩのビットインジケータによって、又はＤＣＩをスクランブリングするためのＲＮＴＩによってカテゴリー−１サービス及びカテゴリー−２サービスを区別する。
【００９６】
方式ｃ：
【００９７】
ＵＥは特定サービングセル内のサブフレームのスケジューリング情報によってそのサブフレームで第１タイプＰＨＲを報告するか又は第２タイプＰＨＲを報告するかを決定する。特に、カテゴリー−１サービスのＰＵＳＣＨのみがそのサブフレームで送信される場合、ＵＥは第１タイプＰＨＲを報告する。カテゴリー−２サービスのＰＵＳＣＨのみがそのサブフレームで送信される場合、ＵＥは第２タイプＰＨＲを報告する。ＵＥがそのサブフレームでカテゴリー−１のＰＵＳＣＨ及びカテゴリー−２のＰＵＳＣＨをいずれも送信する場合、或いはＵＥがそのサブフレームでカテゴリー−１サービスのＰＵＳＣＨもカテゴリー−２サービスのＰＵＳＣＨも送信しない場合、ＵＥによって報告されるＰＨＲのタイプは、どのサブフレームが第１タイプＰＨＲを報告するためのものであり、どのサブフレームが第２タイプＰＨＲを報告するためのものであるかを構成する上位層シグナリングによって決定される。他の例で、報告されるＰＨＲのタイプがプロトコルで定義されたＰＨＲのデフォルトタイプによって決定され、例えば、上記の状況で、カテゴリー−２サービスが信頼性及び低い遅延に対するより高い要件を有するため、プロトコルは第２タイプＰＨＲが報告されると定義し、これにより、第２タイプＰＨＲは報告対象としての優先権を得る。本方法によって招かれるＰＨＲのタイプを間違う場合に関しては、報告されるＰＨＲタイプを示すタイプインジケータが、ＰＨＲを報告するためのＭＡＣシグナリングに追加される。即ち、ＵＥはＰＨＲを報告するだけでなくＰＨＲのタイプを指定する。タイプインジケータはＰＨＲタイプを示す１ビットインジケータである。これにより、ＵＥ及び基地局は報告されるＰＨＲのタイプを間違わなくなる。
【００９８】
方法２
【００９９】
２つのタイプのＰＨＲ報告を必要とするサービングセルの場合は、２つのタイプのＰＨＲが同時に報告される。第１タイプＰＨＲ及び第２タイプＰＨＲを同時に報告する方式は次の通りである。
【０１００】
第１タイプＰＨＲ及び第２タイプＰＨＲ、第１タイプＰＨＲを計算するための最大送信電力Ｐｃｍａｘ，ｃ，１及び第２タイプＰＨＲを計算するための最大送信電力Ｐｃｍａｘ，ｃ，２が同時に報告される。
【０１０１】
この計算は次の状況に対して行われる。
【０１０２】
状況１：
【０１０３】
カテゴリー−１サービスのＰＵＳＣＨがそのサブフレームで送信されてカテゴリー−２サービスのＰＵＳＣＨはそのサブフレームで送信されない場合、第１タイプＰＨＲは次のように計算される。
【０１０４】
【数１６】
2019525666.tif 000020
【０１０５】
サービングセルｃがカテゴリー−１サービスのＰＵＳＣＨのみを送信すると仮定した場合、ＰＣＭＡＸ，ｃ，１（ｉ）はＵＥのサービングセルｃ内のサブフレームｉでの最大送信電力であり、他の全てのパラメータはカテゴリー−１サービスの送信のためのＰＵＳＣＨの電力制御パラメータである。
【０１０６】
ＭＰＵＳＣＨ，ｃ，１，（ｉ）は、ＰＵＳＣＨによって占有される物理リソースブロック（ｐｈｙｓｉｃａｌ  ｒｅｓｏｕｒｃｅ  ｂｌｏｃｋ：ＰＲＢ）の数である。
【０１０７】
ＰＯ＿ＰＵＳＣＨ，ｃ，１（ｊ）は、上位層シグナリングによって構成される電力オフセットである。
【０１０８】
ＰＬＣ，１は、経路損失である。
【０１０９】
αｃ，１（ｊ）は、経路損失補償レートを制御するためのものである。半永続スケジューリング（Ｓｅｍｉ−ｐｅｒｓｉｓｔｅｎｔ  ｓｃｈｅｄｕｌｉｎｇ：ＳＰＳ）のＰＵＳＣＨ又はＰＵＳＣＨの再送の場合、ｊ＝０であり、動的スケジューリングされたＰＵＳＣＨ又はＰＵＳＣＨの再送の場合、ｊ＝１であり、ランダムアクセス応答のためにスケジューリングされたＰＵＳＣＨ又はＰＵＳＣＨの再送の場合、ｊ＝２である。
【０１１０】
ｆｃ，１（ｉ）は、閉ループ電力制御の累積合計である。ΔＴＦ，ｃ，１（ｉ）は、アップリンク送信のＭＣＳに関連付けられたパラメータである。特に、ＫＳが１．２５の場合、
【数１７】
2019525666.tif 000021
であり、非周期的（Ａｐｅｒｉｏｄｉｃ）ＣＳＩ（Ａ−ＣＳＩ）のみが送信されてアップリンクデータは送信されない場合、
【数５】
2019525666.tif 000022
であり、アップリンクが送信される場合、
【数６】
2019525666.tif 000023
であり、Ｃは送信ブロック（ｔｒａｎｓｍｉｓｓｉｏｎ  ｂｌｏｃｋ：ＴＢ）にあるコードブロックの数であり、Ｋｒはｒ番目のＣＢのビット数であり、ＮＲＥはＰＵＳＣＨでリソース要素（ｒｅｓｏｕｒｃｅ  ｅｌｅｍｅｎｔ：ＲＥ）の総数である。
【０１１１】
第２タイプＰＨＲは次のように計算される。
【０１１２】
【数２０】
2019525666.tif 000024
【０１１３】
上記式のパラメータの定義は、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）３６．２１３  ｖ１０．９．０  セクション５．１．１．１で確認される。サービングセルｃが任意のサービスのＰＵＳＣＨを送信しないと仮定した場合、
2019525666.tif 000025
は、ＵＥのサービングセルｃ内のサブフレームｉでの最大送信電力である。他の全てのパラメータは、カテゴリー−２サービスの送信のためのＰＵＳＣＨの電力制御パラメータである。
【０１１４】
ＰＯ＿ＰＵＳＣＨ，ｃ，２（１）は上位層シグナリングによって構成される電力オフセットであり、ＰＬｃ，２は経路損失であり、αｃ，２（１）は経路損失補償レートを制御するためのものであり、ｆｃ，２（ｉ）は閉ループ電力制御の累積合計である。
【０１１５】
カテゴリー−２サービスがサービングセルｃで送信されないため、ＰＨｃ，２（ｉ）は仮想ＰＨＲである。
【０１１６】
状況２：
【０１１７】
カテゴリー−１サービスのＰＵＳＣＨがそのサブフレームで送信されてカテゴリー−２サービスのＰＵＳＣＨはそのサブフレームで送信されない場合、第２タイプＰＨＲは次のように計算される。
【０１１８】
【数２１】
2019525666.tif 000026
【０１１９】
サービングセルｃがカテゴリー−２サービスのＰＵＳＣＨのみを送信すると仮定した場合、ＰＣＭＡＸ，ｃ，２（ｉ）はＵＥのサービングセルｃ内のサブフレームｉでの最大送信電力であり、ＭＰＵＳＣＨ，ｃ，２，（ｉ）は、ＰＵＳＣＨによって占有されるＰＲＢの数である。ＰＯ＿ＰＵＳＣＨ，ｃ，２（ｊ）は、上位層シグナリングによって構成される電力オフセットである。ＰＬＣ，２は、経路損失である。αｃ，２（ｊ）は、経路損失補償レートを制御するためのものである。ｆｃ，２（ｉ）は閉ループ電力制御の累積合計であり、ΔＴＦ，ｃ，２（ｉ）はアップリンク送信のＭＣＳに関連付けられたパラメータである。ＰＨｃ，２（ｉ）は、仮想ＰＨＲである。
【０１２０】
他の全てのパラメータは、カテゴリー−２サービスの送信のためのＰＵＳＣＨの電力制御パラメータである。
【０１２１】
第１タイプＰＨＲは次のように計算される。
【０１２２】
【数２２】
2019525666.tif 000027
【０１２３】
上記式のパラメータの定義は、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）３６．２１３  ｖ１０．９．０  セクション５．１．１．１で確認される。サービングセルｃが任意のサービスのＰＵＳＣＨを送信しないと仮定した場合、
2019525666.tif 000028
はＵＥのサービングセルｃ内のサブフレームｉでの最大送信電力であり、他の全てのパラメータはカテゴリー−１サービスの送信のためのＰＵＳＣＨの電力制御パラメータである。
【０１２４】
ＰＯ＿ＰＵＳＣＨ，ｃ，１（１）は、上位層シグナリングによって構成される電力オフセットである。ＰＬＣ，１は、経路損失である。αｃ，１（１）は経路損失補償レートを制御するためのものであり、ｆｃ，１（ｉ）は閉ループ電力制御の累積合計である。
【０１２５】
カテゴリー−１サービスがサービングセルｃで送信されないため、ＰＨｃ，１（ｉ）は仮想ＰＨＲである。
【０１２６】
状況３：
【０１２７】
サブフレームがカテゴリー−１サービスのＰＵＳＣＨ又はカテゴリー−２サービスのＰＵＳＣＨを送信しない場合、第１タイプＰＨＲは次のように計算される。
【０１２８】
【数２２】
2019525666.tif 000029
【０１２９】
上記式のパラメータの定義は、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）３６．２１３  ｖ１０．９．０  セクション５．１．１．１で確認される。サービングセルｃが任意のサービスのＰＵＳＣＨを送信しないと仮定した場合、
2019525666.tif 000030
はＵＥのサービングセルｃ内のサブフレームｉでの最大送信電力であり、他の全てのパラメータはカテゴリー−１サービスの送信のためのＰＵＳＣＨの電力制御パラメータである。
【０１３０】
ＰＯ＿ＰＵＳＣＨ，ｃ，１（１）は、上位層シグナリングによって構成される電力オフセットである。ＰＬＣ，１は、経路損失である。αｃ，１（１）は経路損失補償レートを制御するためのものであり、ｆｃ，１（ｉ）は閉ループ電力制御の累積合計である。ＰＨｃ，１（ｉ）は、予め設定された仮想ＰＨＲである。
【０１３１】
第２タイプＰＨＲは次のように計算される。
【０１３２】
【数２０】
2019525666.tif 000031
【０１３３】
上記式のパラメータの定義は、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）３６．２１３  ｖ１０．９．０  セクション５．１．１．１で確認される。サービングセルｃが任意のサービスのＰＵＳＣＨを送信しないと仮定した場合、
2019525666.tif 000032
はＵＥのサービングセルｃ内のサブフレームｉでの最大送信電力であり、他の全てのパラメータはカテゴリー−２サービスの送信のためのＰＵＳＣＨの電力制御パラメータである。
【０１３４】
ＰＯ＿ＰＵＳＣＨ，ｃ，２（１）は、上位層シグナリングによって構成される電力オフセットである。ＰＬＣ，２は、経路損失である。αｃ，２（１）は経路損失補償レートを制御するためのものであり、ｆｃ，２（ｉ）は閉ループ電力制御の累積合計である。カテゴリー−２サービスがサービングセルｃで送信されないため、ＰＨｃ，２（ｉ）は仮想ＰＨＲである。
【０１３５】
状況４
【０１３６】
カテゴリー−１サービスのＰＵＳＣＨ及びカテゴリー−２サービスのＰＵＳＣＨがいずれもそのサブフレームで送信される場合、第１タイプＰＨＲは次のように計算される。
【０１３７】
【数１６】
2019525666.tif 000033
【０１３８】
サービングセルｃがカテゴリー−１サービスのＰＵＳＣＨのみを送信すると仮定した場合、ＰＣＭＡＸ，ｃ，１（ｉ）は、ＵＥのサービングセルｃ内のサブフレームｉでの最大送信電力である。他の全てのパラメータは、カテゴリー−１サービスの送信のためのＰＵＳＣＨの電力制御パラメータである。
【０１３９】
ＭＰＵＳＣＨ，ｃ，１，（ｉ）は、ＰＵＳＣＨによって占有される物理リソースブロック（ｐｈｙｓｉｃａｌ  ｒｅｓｏｕｒｃｅ  ｂｌｏｃｋ、ＰＲＢ）の数である。ＰＯ＿ＰＵＳＣＨ，ｃ，１（ｊ）は、上位層シグナリングによって構成される電力オフセットである。ＰＬＣ，１は、経路損失である。αｃ，１（ｊ）は、経路損失補償レートを制御するためのものである。ｆｃ，１（ｉ）は閉ループ電力制御の累積合計であり、ΔＴＦ，ｃ，１（ｉ）はアップリンク送信のＭＳＣに関連付けられたパラメータであり、ＰＨｃ，１（ｉ）は予め設定された仮想ＰＨＲである。
【０１４０】
第２タイプＰＨＲは次のように計算される。
【０１４１】
【数２１】
2019525666.tif 000034
【０１４２】
サービングセルｃがカテゴリー−２サービスのＰＵＳＣＨのみを送信すると仮定した場合、ＰＣＭＡＸ，ｃ，２（ｉ）は、ＵＥのサービングセルｃ内のサブフレームｉでの最大送信電力である。他の全てのパラメータは、カテゴリー−２サービスの送信のためのＰＵＳＣＨの電力制御パラメータである。
【０１４３】
ＭＰＵＳＣＨ，ｃ，２，（ｉ）は、ＰＵＳＣＨによって占有されるＰＲＢの数である。ＰＯ＿ＰＵＳＣＨ，ｃ，２（ｊ）は、上位層シグナリングによって構成される電力オフセットである。ＰＬＣ，２は、経路損失である。αｃ，２（ｊ）は、経路損失補償レートを制御するためのものである。ｆｃ，２（ｉ）は、閉ループ電力制御の累積合計である。ΔＴＦ，ｃ，２（ｉ）はアップリンク送信のＭＳＣに関連付けられたパラメータであり、ＰＨｃ，２（ｉ）は予め設定された仮想ＰＨＲである。
【０１４４】
方法３
【０１４５】
２つのタイプのＰＨＲの報告が必要なサービングセルの場合、２つのタイプのＰＨＲが同時に報告される。第１タイプＰＨＲ及び第２タイプＰＨＲを同時に報告する方式は次の通りである。
【０１４６】
第１タイプＰＨＲ及び第２タイプＰＨＲ、第１タイプＰＨＲを計算するための最大送信電力Ｐｃｍａｘ，ｃ，１及び第２タイプＰＨＲを計算するための最大送信電力Ｐｃｍａｘ，ｃ，２が同時に報告される。
【０１４７】
ＰＨＲを送信するためにＵＥによって選択されるサービングセルが、ＰＨＲが報告されたサービングセルと同じサブフレームの長さを有する場合、その状況は図８に示す通りである。図８は、本発明の第２実施形態による方法３のＵＥの複数のサービングセルのサブフレームの長さ１を示す概略図である。サービングセル２のＰＨＲは、サービングセル１のＰＵＳＣＨで送信され、ＰＨＲを送信するためのサービングセル１のサブフレームは、ＰＨＲを計算するためのサービングセル２のサブフレームと同じサブフレームの長さを有する。他の例で、ＰＨＲがＵＥによって送信されるように選択されるサービングセルが、ＰＨＲが報告されるサービングセルのサブフレームの長さと同じサブフレームの長さを有する場合、その状況は図９に示す通りである。図９は、本発明の第２実施形態による方法３のＵＥの複数のサービングセルのサブフレームの長さ２を示す概略図である。サービングセル１のＰＨＲはサービングセル２のＰＵＳＣＨで送信され、ＰＨＲを送信するためのサービングセル２のサブフレームはＰＨＲを計算するためのサービングセル１のサブフレームと同じサブフレームを有する。上記の２つの状況で、サブフレームの長さが長いサービングセルは、サブフレームの長さが短いサービングセルに比べて、ＰＵＳＣＨをスケジューリングするように命じる指示を受信した後からＰＵＳＣＨを伝送するまでの時間間隔が長いため、ＵＥは、サブフレームの長さが更に短いサービングセルのＰＨＲを計算するためにスケジューリング指示を受信した後、十分な時間を有してからＰＨＲを送信し、ＵＥは２つのタイプのＰＨＲを報告するために次の方法を用いる。
【０１４８】
カテゴリー−１サービスのＰＵＳＣＨがそのサブフレームで送信され、カテゴリー−２サービスのＰＵＳＣＨがそのサブフレームで送信されない場合、第１タイプＰＨＲは次のように計算される。
【０１４９】
【数１６】
2019525666.tif 000035
【０１５０】
サービングセルｃがカテゴリー−１サービスのＰＵＳＣＨのみを送信すると仮定した場合、ＰＣＭＡＸ，ｃ，１（ｉ）は、ＵＥのサービングセルｃ内のサブフレームｉでの最大送信電力である。他の全てのパラメータは、カテゴリー−１サービスの送信のためのＰＵＳＣＨの電力制御パラメータである。
【０１５１】
ＭＰＵＳＣＨ，ｃ，１，（ｉ）は、ＰＵＳＣＨによって占有されるＰＲＢの数である。ＰＯ＿ＰＵＳＣＨ，ｃ，１（ｊ）は、上位層シグナリングによって構成される電力オフセットである。ＰＬＣ，１は、経路損失である。αｃ，１（ｊ）は、経路損失補償レートを制御するためのものである。ｆｃ，１（ｉ）は閉ループ電力制御の累積合計であり、ΔＴＦ，ｃ，１（ｉ）はアップリンク送信のＭＳＣに関連付けられたパラメータであり、ＰＨｃ，１（ｉ）は予め設定された仮想ＰＨＲである。
【０１５２】
第２タイプＰＨＲは次のように計算される。
【０１５３】
【数２０】
2019525666.tif 000036
【０１５４】
上記式のパラメータの定義は、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）３６．２１３  ｖ１０．９．０  セクション５．１．１．１で確認される。サービングセルｃが任意のサービスのＰＵＳＣＨを送信しないと仮定した場合、
2019525666.tif 000037
は、ＵＥのサービングセルｃ内のサブフレームｉでの最大送信電力である。他の全てのパラメータは、カテゴリー−２サービスの送信のためのＰＵＳＣＨの電力制御パラメータである。ＰＨｃ，２（ｉ）は、仮想ＰＨＲである。
【０１５５】
ＰＯ＿ＰＵＳＣＨ，ｃ，２（１）は、上位層シグナリングによって構成される電力オフセットである。ＰＬＣ，２は、経路損失である。αｃ，２（１）は、経路損失補償レートを制御するためのものである。ｆｃ，２（ｉ）は、閉ループ電力制御の累積合計である。ＰＨｃ，２（ｉ）は、予め設定された仮想ＰＨＲである。
【０１５６】
カテゴリー−２サービスのＰＵＳＣＨがそのサブフレームで送信され、カテゴリー−１サービスのＰＵＳＣＨがそのサブフレームで送信されない場合、第２タイプＰＨＲは次のように計算される。
【０１５７】
【数２１】
2019525666.tif 000038
【０１５８】
サービングセルｃがカテゴリー−２サービスのＰＵＳＣＨのみを送信すると仮定した場合、ＰＣＭＡＸ，ｃ，２（ｉ）は、ＵＥのサービングセルｃ内のサブフレームｉでの最大送信電力である。他の全てのパラメータは、カテゴリー−２サービスの送信のためのＰＵＳＣＨの電力制御パラメータである。
【０１５９】
ＭＰＵＳＣＨ，ｃ，２，（ｉ）は、ＰＵＳＣＨによって占有されるＰＲＢの数である。ＰＯ＿ＰＵＳＣＨ，ｃ，２（ｊ）は、上位層シグナリングによって構成される電力オフセットである。ＰＬＣ，２は、経路損失である。αｃ，２（ｊ）は、経路損失補償レートを制御するためのものである。ｆｃ，２（ｉ）は閉ループ電力制御の累積合計であり、ΔＴＦ，ｃ，２（ｉ）はアップリンク送信のＭＣＳに関連付けられたパラメータである。ＰＨｃ，２（ｉ）は、仮想ＰＨＲである。
【０１６０】
第１タイプＰＨＲは次のように計算される。
【０１６１】
【数２２】
2019525666.tif 000039
【０１６２】
上記式のパラメータの定義は、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）３６．２１３  ｖ１０．９．０  セクション５．１．１．１で確認される。サービングセルｃが任意のサービスのＰＵＳＣＨを送信しないと仮定した場合、
2019525666.tif 000040
は、ＵＥのサービングセルｃ内のサブフレームｉでの最大送信電力である。他の全てのパラメータは、カテゴリー−１サービスの送信のためのＰＵＳＣＨの電力制御パラメータである。ＰＨｃ，１（ｉ）は、仮想ＰＨＲである。
【０１６３】
ＰＯ＿ＰＵＳＣＨ，ｃ，１（１）は、上位層シグナリングによって構成される電力オフセットである。ＰＬＣ，１は、経路損失である。αｃ，１（１）は、経路損失補償レートを制御するためのものであり、ｆｃ，１（ｉ）は、閉ループ電力制御の累積合計である。ＰＨｃ，１（ｉ）は、予め設定された仮想ＰＨＲである。
【０１６４】
カテゴリー−１サービスのＰＵＳＣＨもカテゴリー−２サービスのＰＵＳＣＨもそのサブフレームで送信されない場合、第１タイプＰＨＲは次のように計算される。
【０１６５】
【数２２】
2019525666.tif 000041
【０１６６】
上記式のパラメータの定義は、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）３６．２１３  ｖ１０．９．０  セクション５．１．１．１で確認される。サービングセルｃが任意のサービスのＰＵＳＣＨを送信しないと仮定した場合、
2019525666.tif 000042
は、ＵＥのサービングセルｃ内のサブフレームｉでの最大送信電力である。他の全てのパラメータは、カテゴリー−１サービスの送信のためのＰＵＳＣＨの電力制御パラメータである。ＰＨｃ，１（ｉ）は、仮想ＰＨＲである。
【０１６７】
ＰＯ＿ＰＵＳＣＨ，ｃ，１（１）は、上位層シグナリングによって構成される電力オフセットである。ＰＬＣ，１は、経路損失である。αｃ，１（１）は、経路損失補償レートを制御するためのものであり、ｆｃ，１（ｉ）は、閉ループ電力制御の累積合計である。ＰＨｃ，１（ｉ）は、予め設定された仮想ＰＨＲである。
【０１６８】
第２タイプＰＨＲは次のように計算される。
【０１６９】
【数２０】
2019525666.tif 000043
【０１７０】
上記式のパラメータの定義は、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）３６．２１３  ｖ１０．９．０  セクション５．１．１．１で確認される。サービングセルｃが任意のサービスのＰＵＳＣＨを送信しないと仮定した場合、
2019525666.tif 000044
は、ＵＥのサービングセルｃ内のサブフレームｉでの最大送信電力である。他の全てのパラメータは、カテゴリー−２サービスの送信のためのＰＵＳＣＨの電力制御パラメータである。ＰＨｃ，２（ｉ）は、仮想ＰＨＲである。
【０１７１】
ＰＯ＿ＰＵＳＣＨ，ｃ，２（ｊ）は、上位層シグナリングによって構成される電力オフセットである。ＰＬＣ，２は、経路損失である。αｃ，２（ｊ）は、経路損失補償レートを制御するためのものである。ｆｃ，２（ｉ）は閉ループ電力制御の累積合計であり、ＰＨｃ，２（ｉ）は仮想ＰＨＲである。
【０１７２】
カテゴリー−１サービスのＰＵＳＣＨ及びカテゴリー−２サービスのＰＵＳＣＨのいずれもがそのサブフレームで送信される場合、第１タイプＰＨＲは次のように計算される。
【０１７３】
【数１６】
2019525666.tif 000045
【０１７４】
サービングセルｃがカテゴリー−１サービスのＰＵＳＣＨのみを送信すると仮定した場合、ＰＣＭＡＸ，ｃ，１（ｉ）は、ＵＥのサービングセルｃ内のサブフレームｉでの最大送信電力である。他の全てのパラメータは、カテゴリー−１サービスの送信のためのＰＵＳＣＨの電力制御パラメータである。
【０１７５】
ＭＰＵＳＣＨ，ｃ，１，（ｉ）は、ＰＵＳＣＨによって占有されるＰＲＢの数である。ＰＯ＿ＰＵＳＣＨ，ｃ，１（ｊ）は、上位層シグナリングによって構成される電力オフセットである。ＰＬＣ，１は、経路損失である。αｃ，１（ｊ）は、経路損失補償レートを制御するためのものである。ｆｃ，１（ｉ）は、閉ループ電力制御の累積合計である。ΔＴＦ，ｃ，１（ｉ）はアップリンク送信のＭＳＣに関連付けられたパラメータであり、ＰＨｃ，１（ｉ）は予め設定された仮想ＰＨＲである。
【０１７６】
第２タイプＰＨＲは次のように計算される。
【０１７７】
【数２１】
2019525666.tif 000046
サービングセルｃがカテゴリー−２サービスのＰＵＳＣＨのみを送信すると仮定した場合、ＰＣＭＡＸ，ｃ，２（ｉ）は、ＵＥのサービングセルｃ内のサブフレームｉでの最大送信電力である。他の全てのパラメータは、カテゴリー−２サービスの送信のためのＰＵＳＣＨの電力制御パラメータである。
【０１７８】
ＭＰＵＳＣＨ，ｃ，２，（ｉ）は、ＰＵＳＣＨによって占有されるＰＲＢの数である。ＰＯ＿ＰＵＳＣＨ，ｃ，２（ｊ）は、上位層シグナリングによって構成される電力オフセットである。ＰＬＣ，２は、経路損失である。αｃ，２（ｊ）は、経路損失補償レートを制御するためのものである。ｆｃ，２（ｉ）は、閉ループ電力制御の累積合計である。ΔＴＦ，ｃ，２（ｉ）はアップリンク送信のＭＳＣに関連付けられたパラメータであり、ＰＨｃ，２（ｉ）は予め設定された仮想ＰＨＲである。
【０１７９】
ＰＨＲがＵＥによって送信されるように選択されるサービングセルが、ＰＨＲが報告されるサービングセルよりも大きなサブフレームの長さを有する場合、その状況は、図１０に示す通りである。図１０は、本発明の第２実施形態による方法３のＵＥの複数のサービングセルのサブフレームの長さ３を示す概略図である。サービングセル２のＰＨＲはサービングセル１のＰＵＳＣＨで送信され、ＰＨＲを送信するためのサービングセル１のサブフレームはＰＨＲを計算するためのサービングセル１のサブフレームよりも大きいサブフレームの長さを有する。上記の状況で、サブフレームの長さの長いサービングセルは、サブフレームの長さの短いサービングセルに比べて、ＰＵＳＣＨをスケジューリングするように命じる指示を受信した後からＰＵＳＣＨを送信するまでの時間間隔が長いため、ＵＥは短いサブフレームの長さを有するサービングセルからスケジューリング指示を受信した後、短いサブフレームのスケジューリング条件によってＰＨＲを計算するために十分な時間を有さず、長いサブフレームの長さを有するサービングセルでＰＨＲを送信する。その理由は、長いサブフレームを持つサービングセルに対するコーディングなどの動作がより時間を消耗するものであるからである。ＵＥが短いサブフレームを有するサービングセルからスケジューリング命令を受信した後、ＰＨＲを計算するために時間を十分にかけた後、長いサブフレームを有するサービングセルでＰＨＲを送信する場合、上記方法が用いられる。即ち、ＰＨＲがＵＥによって送信されるように選択されるサービングセルが、ＰＨＲが報告されるサービングセルのサブフレームの長さと同じサブフレームの長さを有する場合、２つのタイプのＰＨＲを計算する方法が用いられる。ＵＥが短いサブフレームを有するサービングセルからスケジューリング命令を受信した後、短いサブフレームのスケジューリング条件によってＰＨＲを計算するために十分な時間をかけられず、長いサブフレームを有するサービングセルでＰＨＲを送信する場合、ＵＥは次の方法によって２つのタイプのＰＨＲを報告する。
【０１８０】
カテゴリー−１サービスのＰＵＳＣＨがそのサブフレームで送信され、カテゴリー−２サービスのＰＵＳＣＨがそのサブフレームで送信されない場合、又はカテゴリー−１サービスのＰＵＳＣＨもカテゴリー−２サービスのＰＵＳＣＨもそのサブフレームで送信されない場合、カテゴリー−１サービスのＰＵＳＣＨ及びカテゴリー−２サービスのＰＵＳＣＨのいずれもそのサブフレームで送信される場合、カテゴリー−１サービスのＰＵＳＣＨもカテゴリー−２サービスのＰＵＳＣＨもそのサブフレームで送信されない場合、第１タイプＰＨＲは次のように計算される。
【０１８１】
【数２２】
2019525666.tif 000047
【０１８２】
上記式のパラメータの定義は、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）３６．２１３  ｖ１０．９．０  セクション５．１．１．１で確認される。サービングセルｃが任意のサービスのＰＵＳＣＨを送信しないと仮定した場合、
2019525666.tif 000048
はＵＥのサービングセルｃ内のサブフレームｉでの最大送信電力であり、ＰＯ＿ＰＵＳＣＨ，ｃ，１（１）は上位層シグナリングによって構成される電力オフセットである。ＰＬＣ，１は、経路損失である。αｃ，１（１）は経路損失補償レートを制御するためのものであり、ｆｃ，１（ｉ）は閉ループ電力制御の累積合計である。ＰＨｃ，１（ｉ）は、予め設定された仮想ＰＨＲである。
【０１８３】
第２タイプＰＨＲは次のように計算される。
【０１８４】
【数２０】
2019525666.tif 000049
【０１８５】
上記式のパラメータの定義は、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）３６．２１３  ｖ１０．９．０  セクション５．１．１．１で確認される。サービングセルｃが任意のサービスのＰＵＳＣＨを送信しないと仮定した場合、
2019525666.tif 000050
はＵＥのサービングセルｃ内のサブフレームｉでの最大送信電力であり、ＰＯ＿ＰＵＳＣＨ，ｃ，２（ｊ）は上位層シグナリングによって構成される電力オフセットである。ＰＬＣ，２は、経路損失である。αｃ，２（ｊ）は、経路損失補償レートを制御するためのものである。ｆｃ，２（ｉ）は閉ループ電力制御の累積合計であり、ＰＨｃ，２（ｉ）は仮想ＰＨＲである。
【０１８６】
第３実施形態
【０１８７】
本実施形態は、ＵＥに対して構成された複数のサービングセルに対してＰＨＲを送信する方法を提供する。本実施形態で、サービングセルの内の少なくとも２つのサービングセルが異なるタイムスロットの長さを有するか、又は異なる周波数帯域又は異なる時間がサービングセル内で異なるタイムスロットの長さを有する。
【０１８８】
上記２つの状況で、ＰＨＲを報告するための基準タイムスロット内と仮定した場合、一部のサービングセルが１つのタイムスロットを有し、即ちそのサービングセルのタイムスロットの長さが基準タイムスロットと同じであるか、又は一部のサービングセルが１つ以上のタイムスロットを有し、即ちそのサービングセルのタイムスロットの長さが基準タイムスロットのものよりも短い。例えば、図１１に示すように、ＵＥは２つのサービングセルで構成され、該２つのサービングセルのうち、サービングセル１はタイムスロットの長さＴを有し、サービングセル２はＴ／ｍのタイムスロットの長さを有する。ＴはＰＨＲを報告するための基準タイムスロットの長さである。
【０１８９】
サービングセルが基準タイムスロットと同じタイムスロットの長さを有する場合、ＵＥは基準タイムスロットｎでＰＨＲを報告する時にタイムスロットｎ内のサービングセルでＰＵＳＣＨの情報によってＰＨＲを計算する。
【０１９０】
サービングセルが基準タイムスロットのものより短いタイムスロットの長さを有する場合、即ち基準タイムスロットｎ内でＰＨＲを報告する時、ＵＥはサービングセルの複数のタイムスロットでＰＨＲを報告する。例えば、サービングセルは基準タイムスロットｎ内のタイムスロットｍ＊ｎ，ｍ＊ｎ＋１，…，ｍ＊ｎ＋ｍ−１を含むｍ個のタイムスロットを有する。ｍ個のタイムスロットは異なるＰＵＳＣＨスケジューリング条件を有し、ＵＥはＰＨＲに対するタイムスロットの内の１つのタイムスロットのＰＵＳＣＨ送信情報を選択する。次は、ＰＨＲを計算するためのタイムスロットの内の１つのタイムスロットのＰＵＳＣＨ送信情報を選択する方法の内の一部であり、ここでは、ｍ値が明示的方式又は非明示的な方式によってＵＥによって獲得される。
【０１９１】
方法１：
【０１９２】
ＰＨＲ計算のために選択されるタイムスロットは、ＰＵＳＣＨが基準タイムスロット内のサービングセルのタイムスロットでスケジューリングされる第１タイムスロットであり、ＵＥは、スケジューリング命令を受信した後、スケジューリングされたＰＵＳＣＨの情報を用いてＰＨＲを計算するための十分な時間を有する。一部の例で、ＵＥがスケジューリング命令を受信した後、スケジューリングされたＰＵＳＣＨの情報を用いてＰＨＲを計算するための十分な時間が取れない場合、仮想ＰＨＲが用いられる。仮想ＰＨＲはＰＵＳＣＨ未送信のために計算されるＰＨＲをいう。一部の他の例で、ＰＨＲを報告するための基準タイムスロットの全てのタイムスロットでＰＵＳＣＨの未送信があった場合、仮想ＰＨＲが用いられる。
【０１９３】
例えば、ＵＥはサービングセル１が基準タイムスロットと同じタイムスロットの長さＴを有し、サービングセル２がＴ／ｍのタイムスロットの長さを有する２つのサービングセルで構成される。サービングセル２は基準タイムスロットｎ内の総ｍ個のタイムスロット、即ちタイムスロットｍ＊ｎ，ｍ＊ｎ＋１，……，ｍ＊ｎ＋ｍ−１を有する。第１スケジューリングされたＰＵＳＣＨは、タイムスロットｍ＊ｎ＋１にある。サービングセル２のタイムスロットｍ＊ｎ＋１のＰＵＳＣＨでＰＨＲが送信される場合、ＵＥはタイムスロットｍ＊ｎ＋１にスケジューリングされたＰＵＳＣＨの情報によってＰＨＲを計算するための十分な時間を有するため、図１２に示すように、ＵＥはタイムスロットｍ＊ｎ＋１にスケジューリングされたＰＵＳＣＨの情報によってＰＨＲを計算する。サービングセル１のタイムスロットｎのＰＵＳＣＨでＰＨＲを送信する場合、ＰＨＲを送信するためのＰＵＳＣＨが早めに開始されるため、ＵＥはサービングセル２のタイムスロットｍ＊ｎ＋１にスケジューリングされたＰＵＳＣＨの情報によってＰＨＲを計算するための十分な時間が取れない場合もある。従って、図１３に示すように、サービングセル２のＰＨＲはサービングセル２にＰＵＳＣＨ送信が存在しないことによって計算された仮想ＰＨＲである。
【０１９４】
方法２：
【０１９５】
ＰＨＲを計算するために選択されるタイムスロットは、ＰＵＳＣＨが基準タイムスロット内にあるサービングセルのタイムスロットの間でスケジューリングされ、ＵＥがスケジューリング命令を受信した後、スケジューリングされたＰＵＳＣＨの情報によってＰＨＲを計算するための十分な時間を有することを満足させる最終タイムスロットである。一部の例で、ＵＥがスケジューリング命令を受信した後、スケジューリングされたＰＵＳＣＨの情報を用いてＰＨＲを計算するための時間が十分でない場合、仮想ＰＨＲが用いられる。仮想ＰＨＲは、ＰＵＳＣＨ未送信のために計算されるＰＨＲをいう。一部の他の例で、ＰＨＲを報告するための基準時間スロットの全ての時間スロットでＰＵＳＣＨ未送信があった場合、仮想ＰＨＲが用いられる。
【０１９６】
例えば、ＵＥは、サービングセル１が基準タイムスロットと同じタイムスロットの長さＴを有し、サービングセル２がＴ／ｍのタイムスロットの長さを有する２つのサービングセルで構成される。サービングセル２は、基準タイムスロットｎ内に属するタイムスロットｍ＊ｎ、ｍ＊ｎ＋１，……，ｍ＊ｎ＋ｍ−１を有する。第１スケジューリングされたＰＵＳＣＨはタイムスロットｍ＊ｎ＋１にある。サービングセル２のタイムスロットｍ＊ｎ＋１のＰＵＳＣＨでＰＨＲが送信される場合、ＵＥはタイムスロットｍ＊ｎ＋１にスケジューリングされたＰＵＳＣＨの情報によってＰＨＲを計算するための十分な時間を有するため、図１２に示すように、ＵＥはタイムスロットｍ＊ｎ＋１にスケジューリングされたＰＵＳＣＨの情報によってＰＨＲを計算する。サービングセル１のタイムスロットｎのＰＵＳＣＨでＰＨＲを送信する場合、ＰＨＲを送信するためのＰＵＳＣＨが早めに開始されるため、ＵＥはサービングセル２のタイムスロットｍ＊ｎ＋１にスケジューリングされたＰＵＳＣＨの情報によってＰＨＲを計算するための十分な時間が取れない場合もある。従って、図１３に示すように、サービングセル２のＰＨＲはサービングセル２にＰＵＳＣＨ送信が存在しないことによって計算された仮想ＰＨＲである。
【０１９７】
方法３：
【０１９８】
ＰＨＲを計算するために選択されたタイムスロットは基準タイムスロット内にあるサービングセルのタイムスロットの内の第１タイムスロットである。ＵＥがサービングセルの第１タイムスロットでＰＵＳＣＨを送信し、ＵＥがスケジューリング命令を受信した後、スケジューリングされたＰＵＳＣＨの情報を用いてＰＨＲを計算するための時間が十分な場合、ＵＥはサービングセルの第１タイムスロットでＰＵＳＣＨ送信の情報を用いてＰＨＲを計算し、そうでない場合は、仮想ＰＨＲが用いられる。
【０１９９】
例えば、ＵＥは、サービングセル１が基準タイムスロットと同じタイムスロットの長さＴを有し、サービングセル２がＴ／ｍのタイムスロットの長さを有する２つのサービングセルで構成される。サービングセル２は基準タイムスロットｎ内に属するタイムスロットｍ＊ｎ、ｍ＊ｎ＋１，……，ｍ＊ｎ＋ｍ−１を有する。サービングセル２の第１タイムスロットｍ＊ｎでＰＵＳＣＨが送信され、ＵＥがサービングセル２のタイムスロットｍ＊ｎで送信されるＰＵＳＣＨでＰＨＲを送信する場合、ＵＥはタイムスロットｍ＊ｎにスケジューリングされたＰＵＳＣＨの情報によってＰＨＲを計算するための十分な時間を有するため、タイムスロットｍ＊ｎにスケジューリングされたＰＵＳＣＨの情報によってＰＨＲを計算する。サービングセル１のタイムスロットｎのＰＵＳＣＨでＰＨＲが送信される場合、ＵＥがサービングセル２の時間スロットｍ＊ｎにスケジューリングされたＰＵＳＣＨの情報によってＰＨＲを計算するための十分な時間が取れないか、又はＵＥがサービングセル２の時間スロットｍ＊ｎでＰＵＳＣＨを送信できない場合があるため、サービングセル２のＰＨＲはサービングセル２でＰＵＳＣＨ送信がないことによって計算される仮想ＰＨＲである。
【０２００】
方法４：
【０２０１】
ＰＨＲを計算するために選択されたタイムスロットは基準タイムスロット内にあるサービングセルのタイムスロットの内の最終タイムスロットである。ＵＥがサービングセルの最終タイムスロットでＰＵＳＣＨを送信し、ＵＥがスケジューリング命令を受信した後、スケジューリングされたＰＵＳＣＨの情報を用いてＰＨＲを計算するための時間が十分な場合、ＵＥはサービングセルの最終タイムスロットでＰＵＳＣＨ送信の情報を用いてＰＨＲを計算し、そうでない場合は、仮想ＰＨＲが用いられる。
【０２０２】
例えば、ＵＥは、サービングセル１が基準タイムスロットと同じタイムスロットの長さＴを有し、サービングセル２がＴ／ｍのタイムスロットの長さを有する２つのサービングセルで構成される。サービングセル２は基準タイムスロットｎ内に属するタイムスロットｍ＊ｎ、ｍ＊ｎ＋１，……，ｍ＊ｎ＋ｍ−１を有する。サービングセル２の最終スロットｍ＊ｎ＋ｍ−１でＰＵＳＣＨが送信され、ＵＥがサービングセル２のタイムスロットｍ＊ｎ＋ｍ−１で送信されるＰＵＳＣＨでＰＨＲを送信する場合、ＵＥはタイムスロットｍ＊ｎ＋ｍ−１にスケジューリングされたＰＵＳＣＨの情報によってＰＨＲを計算するための十分な時間を有するため、タイムスロットｍ＊ｎ＋ｍ−１にスケジューリングされたＰＵＳＣＨの情報によってＰＨＲを計算する。サービングセル１のタイムスロットｎのＰＵＳＣＨでＰＨＲが送信される場合、ＵＥがサービングセル２の時間スロットｍ＊ｎ＋ｍ−１にスケジューリングされたＰＵＳＣＨの情報によってＰＨＲを計算するための十分な時間が取れないか、又はＵＥがサービングセル２の時間スロットｍ＊ｎ＋ｍ−１でＰＵＳＣＨを送信できない場合があるため、サービングセル２のＰＨＲはサービングセル２でＰＵＳＣＨ送信がないことによって計算される仮想ＰＨＲである。
【０２０３】
方法５：
【０２０４】
ＰＨＲを計算するために選択されたタイムスロットはＰＨＲを報告するための基準タイムスロット内にあるサービングセルのタイムスロットの内の具現方式によって決定されるタイムスロットである。異なるタイムスロットにあるＰＵＳＣＨは異なる数の物理リソースブロック（ｐｈｙｓｉｃａｌ  ｒｅｓｏｕｒｃｅ  ｂｌｏｃｋ：ＰＲＢ）をスケジューリングする。これにより、ＵＥ及びスケジューリングされる基地局によって仮定されるＰＲＢの数がＰＨＲを計算する時に異なる場合があり、基地局及びＵＥの残りの電力に対する理解が異なる場合がある。ＵＥは、自らによって実際にスケジューリングされるＰＲＢの数による代わりに、上位層シグナリングから受信される構成から得られたＰＲＢの数によってＰＨＲを計算するか、又はプロトコルで予め定義されたＰＲＢの数によってＰＨＲを計算する。これにより、ＵＥ及び基地局は異なる数のＰＲＢがＰＨＲ計算にスケジューリングされないようにする。上記方法によって決定されたＰＲＢの数によってＰＨＲを計算することによって、基地局はＰＨＲによって残りの電力を計算する。例えば、ＵＥがタイムスロット１でＰＵＳＣＨ送信のために２つのＰＲＢをスケジューリングしてタイムスロット２でＰＵＳＣＨ送信のために３つのＰＲＢをスケジューリングする場合、ＵＥは予め定義された数のスケジューリングされたＰＲＢである１つのＰＲＢを用いてＰＨＲを計算する。
【０２０５】
方法６：
【０２０６】
サービングセルがＰＨＲを報告するための基準タイムスロットよりも短いタイムスロットの長さを有する場合、サービングセルのＰＨＲは仮想ＰＨＲである。
【０２０７】
図１４は、本発明の一実施形態によるＰＨＲ装置のモジュールを示す概略図である。本装置は、決定ユニット、計算ユニット、及び送信ユニットを含む。
【０２０８】
決定ユニットは活性サービングセル内のアップリンクサブフレーム構造によってＰＨＲ報告方式を決定するためのものであり、計算モジュールはＰＨＲ報告方式によってＰＨＲを計算するためのものであり、また送信ユニットは計算されたＰＨＲを基地局に送信するためのものである。
【０２０９】
図１５は、本発明の一実施形態による無線通信システムにおける端末装置に対する例示的な構成を示す概略図である。図１５は、端末装置の構成例を示す。以下、用語「ユニット」又は「〜機」又は「〜部」で終わる用語は少なくとも１つの機能又は動作を処理するユニットを示し、その用語はハードウェア若しくはソフトウェア又はハードウェアとソフトウェアとの組み合わせを用いて具現される。
【０２１０】
図１５を参照すると、端末装置は、通信インタフェース（ユニット）１５１０、ストレージ１５２０、及び制御機１５３０を含む。
【０２１１】
通信インタフェース１５１０は、無線チャネルを介して信号を送受信するための機能を行う。例えば、通信インタフェース１５１０は、システムの物理層規格に従って基底帯域信号とビット列（ｂｉｔ  ｓｔｒｉｎｇ）との間で変換する機能を遂行する。例えば、データを送信する時、通信インタフェース１５１０は、送信ビット列を符号化及び変調することによって複素シンボル（ｃｏｍｐｌｅｘ  ｓｙｍｂｏｌ）を生成する。また、データを受信する時、通信インタフェース１５１０は、基底帯域信号を復調及び復号化して受信ビット列を復元する。また、通信インタフェース１５１０は、基底帯域信号をＲＦ帯域信号にアップコンバートした後、アンテナを介してＲＦ帯域信号を送信し、アンテナを介して受信されたＲＦ帯域信号を基底帯域信号にダウンコンバートする。例えば、通信インタフェース１５１０は、送信フィルタ、受信フィルタ、増幅器、ミキサ、発振器、ＤＡＣ、ＡＤＣなどを含む。
【０２１２】
通信インタフェース１５１０は、複数の送信／受信経路を含む。通信インタフェース１５１０は、複数のアンテナ要素によって構成された少なくとも１つのアンテナアレイを含む。ハードウェア観点から見て、通信インタフェース１５１０は、デジタル回路及びアナログ回路（例えば、無線周波数集積回路（ｒａｄｉｏ  ｆｒｅｑｕｅｎｃｙ  ｉｎｔｅｇｒａｔｅｄ  ｃｉｒｃｕｉｔ：ＲＦＩＣ））によって構成される。ここで、デジタル回路及びアナログ回路は１つのパッケージとして具現され得る。また、通信インタフェース１５１０は、複数のＲＦチェーンを含む。通信インタフェース１５１０は、ビームフォーミングを行う。
【０２１３】
また、通信インタフェース１５１０は、異なる周波数帯域の信号を処理するための異なる通信モジュールを含む。通信インタフェース１５１０は、複数の異なる無線アクセス技術をサポートするための複数の通信モジュールを含む。例えば、複数の異なる無線アクセス技術は、ブルートゥース（登録商標）ローエナジー（Ｂｌｕｅｔｏｏｔｈ（登録商標）  ｌｏｗ  ｅｎｅｒｇｙ：ＢＬＥ）、ワイファイ（ｗｉｒｅｌｅｓｓ  ｆｉｄｅｌｉｔｙ：Ｗｉ−Ｆｉ）、Ｗｉ−Ｆｉギガビット（Ｗｉ−Ｆｉ  ｇｉｇａｂｙｔｅ：ＷｉＧｉｇ）、セルラーネットワーク（例えば、ＬＴＥ（ｌｏｎｇ  ｔｅｒｍ  ｅｖｏｌｕｔｉｏｎ））などを含む。また、異なる周波数帯域は、超高周波（ｓｕｐｅｒ  ｈｉｇｈ  ｆｒｅｑｕｅｎｃｙ：ＳＨＦ）（例えば、２．５ＧＨｚ、５ＧＨｚ）帯域及びミリ波（例えば、６０ＧＨｚ）帯域を含む。
【０２１４】
無線通信インタフェース１５１０は、上述のように信号を送受信する。従って、通信インタフェース１５１０は、送信インタフェース、受信インタフェース、送受信インタフェース、送信機、受信機、又は送受信機と称する。また、次の説明で、無線チャネルを介して行われる送信及び受信は、上述のように通信インタフェース１５１０による処理を含む。
【０２１５】
ストレージ１５２０は、端末装置の動作のための基本プログラム、アプリケーションプログラム、設定情報などのようなデータを記憶する。ストレージ１５１０は、揮発性メモリ、不揮発性メモリ、又は揮発性メモリ及び不揮発性メモリの組み合わせで構成される。また、ストレージ１５２０は、制御機３３０の要求に応じて記憶しているデータを提供する。
【０２１６】
制御機１５３０は、端末装置の全般的な動作を制御する。例えば、制御機１５３０は、通信インタフェース１５１０を介して信号を送受信する。また、制御機１５３０は、ストレージ１５２０にデータを記録し、ストレージ１５２０からデータを読み出す。制御機１５３０は、通信規格が要求するプロトコルスタックの機能を行う。これを達成するために、制御機１５３０は、少なくとも１つのプロセッサ又はマイクロプロセッサを含むか、或いはプロセッサの一部である。また、通信インタフェース１５１０及び制御機１５３０の一部を通信プロセッサ（ｃｏｍｍｕｎｉｃａｔｉｏｎ  ｐｒｏｃｅｓｓｏｒ：ＣＰ）と称する。
【０２１７】
本発明の例示的な実施形態によって、制御機１５３０は、活性サービングセル内のアップリンクサブフレーム構造によってＰＨＲ報告方式を決定し、ＰＨＲ報告方式によってＰＨＲを決定してＰＨＲを基地局に送信する。例えば、制御機３３０は、本発明の例示的な実施形態による動作を行うように端末装置を制御する。
【０２１８】
本発明の目的、技術的解決策、及び長所について上述の実施形態によってより詳細に述べた。上述の内容は本発明の実施形態に過ぎず、本発明を制限するために用いるためのものではないことを理解すべきである。本発明の思想及び原理内の全ての修正、同等な代替、改善は本発明の保護範囲に含まれるべきである。
【符号の説明】
【０２１９】
１５１０    通信インタフェース（ユニット）
１５２０    ストレージ
１５３０    制御機
【図１】
2019525666.tif 000051
【図２】
2019525666.tif 000052
【図３】
2019525666.tif 000053
【図４】
2019525666.tif 000054
【図５】
2019525666.tif 000055
【図６】
2019525666.tif 000056
【図７】
2019525666.tif 000057
【図８】
2019525666.tif 000058
【図９】
2019525666.tif 000059
【図１０】
2019525666.tif 000060
【図１１】
2019525666.tif 000061
【図１２】
2019525666.tif 000062
【図１３】
2019525666.tif 000063
【図１４】
2019525666.tif 000064
【図１５】
2019525666.tif 000065
【国際調査報告】
2019525666.tif 000066
2019525666.tif 000067
2019525666.tif 000068
2019525666.tif 000069
2019525666.tif 000070
2019525666.tif 000071